(57)【特許請求の範囲】
【請求項１】
基地局によって送信された第１のメッセージを第１のユーザ機器によって受信するステップであって、前記第１のメッセージは、第１のリソース上の発見信号を検出するように前記第１のユーザ機器に指示する、受信するステップと、
前記第１のメッセージに応じて前記第１のリソースを前記第１のユーザ機器によって決定するステップと、
前記第１のリソース上の前記発見信号を前記第１のユーザ機器によって検出するステップと
を具え、
前記第１のメッセージに応じて前記第１のリソースを前記第１のユーザ機器によって決定する前記ステップは、
前記第１のメッセージを運ぶ第１のベアラリソースを前記第１のユーザ機器によって決定するステップと、
前記第１のベアラリソースおよび第１のマッピング情報に応じて前記第１のリソースを前記第１のユーザ機器によって決定するステップであって、前記第１のマッピング情報は、前記第１のベアラリソースと前記第１のリソースとの間のあらかじめ設定されたマッピング関係である、該決定するステップと
を含むことを特徴とする発見信号伝送方法。
【請求項２】
基地局によって送信された第１のメッセージを第１のユーザ機器によって受信する前記ステップの前に、
前記基地局に要求メッセージを前記第１のユーザ機器によって送信するステップであって、前記要求メッセージは、第２のユーザ機器をトリガして前記発見信号を送信させるように前記基地局に要求するために使用され、前記要求メッセージは、前記第２のユーザ機器のデバイス情報、または前記第２のユーザ機器を示すために使用される第１のインジケーション情報を含む、送信するステップ
をさらに具えたことを特徴とする請求項１に記載の方法。
【請求項３】
前記第１のメッセージに応じて前記第１のリソースを前記第１のユーザ機器によって決定する前記ステップは、
前記第１のメッセージに含まれる前記第１のリソースの時間情報および／または周波数情報に応じて、前記第１のリソースを前記第１のユーザ機器によって決定するステップ
を含むことを特徴とする請求項１または２に記載の方法。
【請求項４】
前記第１のメッセージに応じて前記第１のリソースを前記第１のユーザ機器によって決定する前記ステップは、
前記第１のリソースの時間情報および／または周波数情報を示すために使用され、前記第１のメッセージに含まれる第２のインジケーション情報に応じて、前記第１のリソースを前記第１のユーザ機器によって決定するステップ
を含むことを特徴とする請求項１または２に記載の方法。
【請求項５】
発見信号を送信するために使用される第２のリソースを基地局によって決定するステップと、
第１のページングメッセージを前記基地局によって第２のユーザ機器に送信するステップであって、前記第１のページングメッセージは、前記第２のリソース上で前記発見信号を送信するように前記第２のユーザ機器に指示するために使用される、送信するステップと
を具え、
前記発見信号を検出するために使用される第１のリソースを前記基地局によって決定するステップであって、前記第１のリソースおよび前記第２のリソースは、時間リソースまたは周波数リソースの少なくとも同じパートを有する、決定するステップと、
第１のメッセージを前記基地局によって第１のユーザ機器に送信するステップであって、前記第１のメッセージは、前記第１のリソース上で前記発見信号を検出するように前記第１のユーザ機器に指示するために使用される、送信するステップと
をさらに具え、
前記第１のメッセージを前記基地局によって前記第１のユーザ機器に送信する前記ステップは、
第１のベアラリソース上で前記第１のメッセージを前記基地局によって前記第１のユーザ機器に送信し、したがって、前記第１のユーザ機器は、前記第１のベアラリソースおよび第１のマッピング情報に応じて前記第１のリソースを決定する、ステップであって、前記第１のマッピング情報は、前記第１のベアラリソースと前記第１のリソースとの間のあらかじめ設定されたマッピング関係である、送信するステップ
を含むことを特徴とする発見信号伝送方法。
【請求項６】
前記第１のユーザ機器によって送信された要求メッセージを前記基地局によって受信するステップであって、前記要求メッセージは、前記第２のユーザ機器をトリガして前記発見信号を送信させるように前記基地局に要求するために使用され、前記要求メッセージは、前記第２のユーザ機器のデバイス情報、または前記第２のユーザ機器を示すために使用される第１のインジケーション情報を含む、受信するステップ
をさらに具え、
第１のページングメッセージを前記基地局によって第２のユーザ機器に送信する前記ステップは、
前記要求メッセージに応じて前記第１のページングメッセージを前記基地局によって前記第２のユーザ機器に送信するステップ
を含み、
第１のメッセージを前記基地局によって第１のユーザ機器に送信する前記ステップは、
前記要求メッセージに応じて前記第１のメッセージを前記基地局によって前記第１のユーザ機器に送信するステップ
を含むことを特徴とする請求項５に記載の方法。
【請求項７】
第１のメッセージを前記基地局によって第１のユーザ機器に送信する前記ステップは、
前記第１のメッセージを前記基地局によって前記第１のユーザ機器に送信するステップであって、前記第１のメッセージは前記第１のリソースの時間情報および／または周波数情報を含み、または前記第１のメッセージは、前記第１のリソースの時間情報および／または周波数情報を示すために使用される第２のインジケーション情報を含む、送信するステップ
を含むことを特徴とする請求項５または６に記載の方法。
【請求項８】
プロセッサと、
メモリと
を具え、
前記メモリは、実行可能な命令を記憶し、
当該第１の装置が実行するとき、前記プロセッサは前記メモリと通信し、
前記プロセッサは前記実行可能な命令を実行し、当該第１の装置に、請求項１ないし４のいずれか１つに記載の方法を実行することを特徴とする第１のユーザ装置。
【請求項９】
プロセッサと、
メモリと
を具え、
前記メモリは、実行可能な命令を記憶し、
当該基地局が実行するとき、前記プロセッサは前記メモリと通信し、
前記プロセッサは前記実行可能な命令を実行し、これによって当該基地局に、請求項５ないし７のいずれか１つに記載の方法を実行することを特徴とする基地局。
【発明の詳細な説明】
【技術分野】
【０００１】
本発明は通信分野に関し、より詳細には、発見信号伝送方法、ユーザ機器、および基地局に関する。
【背景技術】
【０００２】
ユーザ機器間の通信（Ｄｅｖｉｃｅ−ｔｏ−Ｄｅｖｉｃｅ、略して「Ｄ２Ｄ」）は、ユーザ機器が互いと直接通信することを意味する。ユーザ機器間の近接サービス（Ｄｅｖｉｃｅ  ｔｏ  Ｄｅｖｉｃｅ  Ｐｒｏｘｉｍｉｔｙ  Ｓｅｒｖｉｃｅ、略して「Ｄ２Ｄ  ＰｒｏＳｅ」）は、第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、略して「３ＧＰＰ」）におけるロングタームエボリューション（Ｌｏｎｇ  Ｔｅｒｍ  Ｅｖｏｌｕｔｉｏｎ、略して「ＬＴＥ」）システムのリリース１２のシステムの研究テーマになっており、Ｄ２Ｄ通信のサポートはリリース１２のシステムから始まる。
【０００３】
Ｄ２Ｄ  ＰｒｏＳｅに関する研究において、発見信号の送信と検出の両方が、システムによって予約されたリソース上で定期的に実行される。たとえば、ユーザ機器Ａは、システムによって予約されたリソース上で発見信号を定期的に送信し、ユーザ機器Ｂは、システムによって予約されたリソース上で発見信号を定期的に検出する。発見信号のカバレッジエリアを保証するために、ユーザ機器Ａは一般に、最大電力を使用することによって発見信号を送信する。ユーザ機器Ｂがユーザ機器Ａをすばやく発見できることを保証するために、ユーザ機器Ａは、短期間に発見信号を送信する必要がある。たとえば、発見信号を送信する期間が２．５６秒であるとき、ユーザ機器Ｂは、最大２．５６秒以内にユーザ機器Ａを発見する。しかしながら、ユーザ機器Ａによって短期間に発見信号を送信することは、ユーザ機器Ａによって消費されるエネルギーを大きく増加させる。ユーザ機器Ａによって消費されるエネルギーを減少させるために、ユーザ機器Ａがユーザ機器Ｂに発見信号を送信するとき、ユーザ機器Ａは、長期間に発見信号を送信する。たとえば、発見信号を送信する期間が６００秒である。しかしながら、したがって、ユーザ機器Ｂがユーザ機器Ａを発見するのに極めて長い時間がかかる。
【０００４】
結論として、ユーザ機器は、システムによって予約されたリソース上で発見信号を定期的に送信し、これが、発見信号を検出する効率と、ユーザ機器によって消費されるエネルギーとの衝突につながる。ユーザ機器によって消費されるエネルギーが極めて高いか、または発見信号を検出するのに極めて長い時間がかかる、のいずれかである。
【０００５】
したがって、本発明は、発見信号を検出する効率と、発見信号を送信するためにユーザ機器によって消費されるエネルギーとのバランスをとる発見信号伝送方法を提案する。
【発明の概要】
【発明が解決しようとする課題】
【０００６】
本発明は、改善された、発見信号伝送方法、ユーザ機器、および基地局に関する。
【課題を解決するための手段】
【０００７】
本発明の実施形態は、発見信号を伝送する効率を改善し、デバイスによって消費されるエネルギーを減少させ、ユーザエクスペリエンスを改善することができる、発見信号伝送方法、ユーザ機器、および基地局を提供する。
【０００８】
第１の態様によれば、基地局によって送信された第１のメッセージを第１のユーザ機器によって受信することであって、この第１のメッセージは、第１のリソース上の発見信号を検出するように第１のユーザ機器に指示する、受信することと、第１のメッセージに応じて第１のリソースを第１のユーザ機器によって決定することと、第１のリソース上の発見信号を第１のユーザ機器によって検出することとを含む発見信号伝送方法が提供される。
【０００９】
第１の態様を参照して、第１の態様の第１の可能な実装手法では、基地局によって送信された第１のメッセージを第１のユーザ機器によって受信する前に、方法は、基地局に要求メッセージを第１のユーザ機器によって送信することであって、この要求メッセージは、第２のユーザ機器をトリガして発見信号を送信させるように基地局に要求するために使用され、要求メッセージは、第２のユーザ機器のデバイス情報、または第２のユーザ機器を示すために使用される第１のインジケーション情報を含む、送信することをさらに含む。
【００１０】
第１の態様または第１の態様の第１の可能な実装手法を参照して、第１の態様の第２の可能な実装手法では、第１のメッセージに応じて第１のリソースを第１のユーザ機器によって決定することは、第１のメッセージに含まれる第１のリソースの時間情報および／または周波数情報に応じて、第１のリソースを第１のユーザ機器によって決定することを含む。
【００１１】
第１の態様または第１の態様の第１の可能な実装手法を参照して、第１の態様の第３の可能な実装手法では、第１のメッセージに応じて第１のリソースを第１のユーザ機器によって決定することは、第１のリソースの時間情報および／または周波数情報を示すために使用され、第１のメッセージに含まれる第２のインジケーション情報に応じて、第１のリソースを第１のユーザ機器によって決定することを含む。
【００１２】
第１の態様または第１の態様の第１の可能な実装手法を参照して、第１の態様の第４の可能な実装手法では、第１のメッセージに応じて第１のリソースを第１のユーザ機器によって決定することは、第１のメッセージを運ぶ第１のベアラリソースを第１のユーザ機器によって決定することと、第１のベアラリソースおよび第１のマッピング情報に応じて第１のリソースを第１のユーザ機器によって決定することであって、第１のマッピング情報は、第１のベアラリソースと第１のリソースとの間のあらかじめ設定されたマッピング関係である、決定することとを含む。
【００１３】
第１の態様または第１の態様の第１の可能な実装手法ないし第４の可能な実装手法のいずれか１つを参照して、第１の態様の第５の可能な実装手法では、第１のリソースと、基地局によって決定され、発見信号を送信するために使用される第２のリソースは、時間リソースおよび／または周波数リソースの少なくとも同じパートを有する。
【００１４】
第２の態様によれば、基地局によって送信された第１のページングメッセージを第２のユーザ機器によって検出することであって、この第１のページングメッセージは、第２のリソース上で発見信号を送信するように第２のユーザ機器に指示する、検出することと、検出された第１のページングメッセージに応じて第２のリソースを第２のユーザ機器によって決定することと、第２のリソース上で発見信号を第２のユーザ機器によって送信することとを含む発見信号伝送方法が提供される。
【００１５】
第２の態様を参照して、第２の態様の第１の可能な実装手法では、基地局によって送信された第１のページングメッセージを第２のユーザ機器によって検出することは、第１のユーザ機器によって送信された要求メッセージに応じて、基地局によって送信された第１のページングメッセージを第２のユーザ機器によって検出することを含む。
【００１６】
第２の態様または第２の態様の第１の可能な実装手法を参照して、第２の態様の第２の可能な実装手法では、検出された第１のページングメッセージに応じて第２のリソースを第２のユーザ機器によって決定することは、検出された第１のページングメッセージに含まれる第２のリソースの時間情報および／または周波数情報に応じて、第２のリソースを第２のユーザ機器によって決定することを含む。
【００１７】
第２の態様または第２の態様の第１の可能な実装手法を参照して、第２の態様の第３の可能な実装手法では、検出された第１のページングメッセージに応じて第２のリソースを第２のユーザ機器によって決定することは、第２のリソースの時間情報および／または周波数情報を示すために使用され、検出された第１のページングメッセージに含まれる第３のインジケーション情報に応じて、第２のリソースを第２のユーザ機器によって決定することを含む。
【００１８】
第２の態様または第２の態様の第１の可能な実装手法を参照して、第２の態様の第４の可能な実装手法では、検出された第１のページングメッセージに応じて第２のリソースを第２のユーザ機器によって決定することは、検出された第１のページングメッセージを運ぶ第２のベアラリソースを第２のユーザ機器によって決定することと、第２のベアラリソースおよび第２のマッピング情報に応じて第２のリソースを第２のユーザ機器によって決定することであって、第２のマッピング情報は、第２のベアラリソースと第２のリソースとの間のあらかじめ設定されたマッピング関係である、決定することとを含む。
【００１９】
第２の態様または第２の態様の第１の可能な実装手法もしくは第４の可能な実装手法を参照して、第２の態様の第５の可能な実装手法では、基地局によって送信された第１のページングメッセージを第２のユーザ機器によって検出することは、第２のユーザ機器のデバイス情報に応じて第１の検出時間を第２のユーザ機器によって決定することと、第１の検出時間に応じて、基地局によって送信された第１のページングメッセージを第２のユーザ機器によって検出することとを含む。
【００２０】
第２の態様または第２の態様の第１の可能な実装手法ないし第５の可能な実装手法を参照して、第２の態様の第６の可能な実装手法では、基地局によって送信された第１のページングメッセージを第２のユーザ機器によって検出することは、基地局によって送信された第２のページングメッセージを第２のユーザ機器が検出する時間に応じて、第２の検出時間を第２のユーザ機器によって決定することであって、第２の検出時間、および第２のページングメッセージを第２のユーザ機器が検出する時間が同じである、または所定の時間オフセットによって分離される、決定することと、第２の検出時間に応じて、基地局によって送信された第１のページングメッセージを第２のユーザ機器によって検出することとを含む。
【００２１】
第２の態様または第２の態様の第１の可能な実装手法ないし第６の可能な実装手法を参照して、第２の態様の第７の可能な実装手法では、基地局によって送信された第１のページングメッセージを第２のユーザ機器によって検出することは、基地局によって送信された制御シグナリングに応じて、基地局が第１のページングメッセージを送信するページングチャネルを第２のユーザ機器によって決定することと、ページングチャネルに応じて、基地局によって送信された第１のページングメッセージを第２のユーザ機器によって検出することとを含む。
【００２２】
第２の態様の第７の可能な実装手法を参照して、第２の態様の第８の可能な実装手法では、基地局が第１のページングメッセージを送信するページングチャネルを第２のユーザ機器によって決定することは、基地局によって送信された制御信号を、発見信号ページングメッセージ無線ネットワーク一時識別子Ｄ−Ｐ−ＲＮＴＩまたはページングメッセージ無線ネットワーク一時識別子Ｐ−ＲＮＴＩに応じて第２のユーザ機器によって解析することと、解析された制御シグナリングに応じて第１のページングメッセージのためのページングチャネルを決定することとを含む。
【００２３】
第２の態様または第２の態様の第１の可能な実装手法ないし第８の可能な実装手法を参照して、第２の態様の第９の可能な実装手法では、基地局によって送信された第１のページングメッセージを第２のユーザ機器によって検出することは、基地局によって送信された第１のページングメッセージを第２のユーザ機器によって検出することであって、第１のページングメッセージは、第２のユーザ機器のデバイス情報、または第２のユーザ機器を示すために使用される第４のインジケーション情報を含む、検出することを含む。
【００２４】
第２の態様の第９の可能な実装手法を参照して、第２の態様の第１０の可能な実装手法では、検出された第１のページングメッセージに応じて第２のリソース上で発見信号を第２のユーザ機器によって送信することは、第２のユーザ機器が、第１のページングメッセージに含まれるデバイス情報が第２のユーザ機器のデバイス情報を含むまたは第４のインジケーション情報が第２のユーザ機器を示すことを決定するとき、第２のリソース上で発見信号を送信することを含む。
【００２５】
第２の態様または第２の態様の第１の可能な実装手法ないし第１０の可能な実装手法を参照して、第２の態様の第１１の可能な実装手法では、第２のリソース、および基地局によって決定され、発見信号を検出するために使用される第１のリソースは、時間リソースおよび／または周波数リソースの少なくとも同じパートを有する。
【００２６】
第３の態様によれば、発見信号を送信するために使用される第２のリソースを基地局によって決定することと、第１のページングメッセージを基地局によって第２のユーザ機器に送信することであって、この第１のページングメッセージは、第２のリソース上で発見信号を送信するように第２のユーザ機器に指示するために使用される、送信することとを含む発見信号伝送方法が提供される。
【００２７】
第３の態様を参照して、第３の態様の第１の可能な実装手法では、方法は、発見信号を検出するために使用される第１のリソースを基地局によって決定することであって、第１のリソースおよび第２のリソースは、時間リソースまたは周波数リソースの少なくとも同じパートを有する、決定することと、第１のメッセージを第１のユーザ機器に基地局によって送信することであって、この第１のメッセージは、第１のリソース上で発見信号を検出するように第１のユーザ機器に指示するために使用される、送信することとをさらに含む。
【００２８】
第３の態様の第１の可能な実装手法を参照して、第３の態様の第２の可能な実装手法では、方法は、第１のユーザ機器によって送信された要求メッセージを基地局によって受信することであって、この要求メッセージは、第２のユーザ機器をトリガして発見信号を送信させるように基地局に要求するために使用され、この要求メッセージは、第２のユーザ機器のデバイス情報、または第２のユーザ機器を示すために使用される第１のインジケーション情報を含む、受信すること
をさらに含み、
第１のページングメッセージを基地局によって第２のユーザ機器に送信することは、要求メッセージに応じて第１のページングメッセージを基地局によって第２のユーザ機器に送信することを含み、第１のメッセージを基地局によって第１のユーザ機器に送信することは、要求メッセージに応じて第１のメッセージを基地局によって第１のユーザ機器に送信することを含む。
【００２９】
第３の態様の第１の可能な実装手法または第２の可能な実装手法を参照して、第３の態様の第３の可能な実装手法では、第１のメッセージを基地局によって第１のユーザ機器に送信することは、第１のメッセージを基地局によって第１のユーザ機器に送信することであって、この第１のメッセージは第１のリソースの時間情報および／または周波数情報を含み、またはこの第１のメッセージは、第１のリソースの時間情報および／または周波数情報を示すために使用される第２のインジケーション情報を含む、送信することを含む。
【００３０】
第３の態様の第１の可能な実装手法または第２の可能な実装手法を参照して、第３の態様の第４の可能な実装手法では、第１のメッセージを基地局によって第１のユーザ機器に送信することは、
第１のベアラリソース上で第１のメッセージを基地局によって第１のユーザ機器に送信し、したがって、第１のユーザ機器は、第１のベアラリソースおよび第１のマッピング情報に応じて第１のリソースを決定する、ことであって、第１のマッピング情報は、第１のベアラリソースと第１のリソースとの間のあらかじめ設定されたマッピング関係である、送信することを含む。
【００３１】
第３の態様または第３の態様の第１の可能な実装手法ないし第４の可能な実装手法のいずれか１つを参照して、第３の態様の第５の可能な実装手法では、第１のページングメッセージを基地局によって第２のユーザ機器に送信することは、第１のページングメッセージを基地局によって第２のユーザ機器に送信することであって、第１のページングメッセージは、第２のリソースの時間情報および／または周波数情報を含み、または、第１のページングメッセージは、第２のリソースの時間情報および／または周波数情報を示すために使用される第３のインジケーション情報を含む、送信することを含む。
【００３２】
第３の態様または第３の態様の第１の可能な実装手法ないし第４の可能な実装手法のいずれか１つを参照して、第３の態様の第６の可能な実装手法では、第１のページングメッセージを基地局によって第２のユーザ機器に送信することは、第２のベアラリソース上で第１のページングメッセージを基地局によって第２のユーザ機器に送信し、したがって、第２のユーザ機器は、第２のベアラリソースおよび第２のマッピング情報に応じて、発見情報を送信するために使用される第２のリソースを決定することであって、この第２のマッピング情報は、第２のベアラリソースと第２のリソースとの間のあらかじめ設定されたマッピング関係である、送信することを含む。
【００３３】
第３の態様または第３の態様の第１の可能な実装手法ないし第６の可能な実装手法のいずれか１つを参照して、第３の態様の第７の可能な実装手法では、第１のページングメッセージを基地局によって第２のユーザ機器に送信することは、第２のユーザ機器のデバイス情報に応じて第１の送信時間を基地局によって決定することと、第１の送信時間に応じて第１のページングメッセージを基地局によって第２のユーザ機器に送信することとを含む。
【００３４】
第３の態様または第３の態様の第１の可能な実装手法ないし第６の可能な実装手法のいずれか１つを参照して、第３の態様の第８の可能な実装手法では、第１のページングメッセージを基地局によって第２のユーザ機器に送信することは、基地局によって送信された第２のページングメッセージを第２のユーザ機器が検出する時間に応じて、第２の検出時間を基地局によって決定することであって、第２の検出時間、および第２のユーザ機器が第２のページングメッセージを検出する時間が同じである、または所定の時間オフセットによって分離される、決定することと、第２の送信時間に応じて第１のページングメッセージを基地局によって第２のユーザ機器に送信することとを含む。
【００３５】
第３の態様または第３の態様の第１の可能な実装手法ないし第８の可能な実装手法のいずれか１つを参照して、第３の態様の第９の可能な実装手法では、第１のページングメッセージを基地局によって第２のユーザ機器に送信することは、第１のページングメッセージのためのページングチャネルを示す制御シグナリング上でスクランブリングを、発見信号ページングメッセージ無線ネットワーク一時識別子Ｄ−Ｐ−ＲＮＴＩまたはページングメッセージ無線ネットワーク一時識別子Ｐ−ＲＮＴＩに応じて基地局によって実行することと、制御シグナリングを基地局によって第２のユーザ機器に送信し、ページングチャネル上で第２のユーザ機器に第１のページングメッセージを送信することとを含む。
【００３６】
第３の態様の第１の可能な実装手法ないし第９の可能な実装手法のいずれか１つを参照して、第３の態様の第１０の可能な実装手法では、第１のページングメッセージを基地局によって第２のユーザ機器に送信することは、第１のページングメッセージを基地局によって第２のユーザ機器に送信することであって、第１のページングメッセージは、第２のユーザ機器のデバイス情報、または第２のユーザ機器を示すために使用される第４のインジケーション情報を含み、したがって、第２のユーザ機器は、デバイス情報または第４のインジケーション情報に応じて、第２のリソース上で発見信号を送信するかどうかを決定する、送信することを含む。
【００３７】
第３の態様または第３の態様の第１の可能な実装手法ないし第１０の可能な実装手法のいずれか１つを参照して、第３の態様の第１１の可能な実装手法では、第１のリソースの時間リソースは第２のリソースの時間リソースを含み、第１のリソースの周波数リソースは第２のリソースの周波数リソースを含む。
【００３８】
第４の態様によれば、基地局によって送信された第１のメッセージを受信するように構成された受信モジュールであって、この第１のメッセージは、第１のリソース上の発見信号を検出するように第１のユーザ機器に指示する、受信モジュールと、この受信モジュールによって受信された第１のメッセージに応じて第１のリソースを決定するように構成された決定モジュールと、この決定モジュールによって決定された第１のリソース上の発見信号を検出するように構成された検出モジュールとを含むユーザ機器が提供される。
【００３９】
第４の態様を参照して、第４の態様の第１の可能な実装手法では、ユーザ機器は、基地局に要求メッセージを送信するように構成された送信モジュールであって、この要求メッセージは、第２のユーザ機器をトリガして発見信号を送信させるように基地局に要求するために使用され、この要求メッセージは、第２のユーザ機器のデバイス情報、または第２のユーザ機器を示すために使用される第１のインジケーション情報を含む、送信モジュールをさらに含む。
【００４０】
第４の態様または第４の態様の第１の可能な実装手法を参照して、第４の態様の第２の可能な実装手法では、決定モジュールは、第１のメッセージに含まれる第１のリソースの時間情報および／または周波数情報に応じて第１のリソースを決定するようにさらに構成される。
【００４１】
第４の態様または第４の態様の第１の可能な実装手法を参照して、第４の態様の第３の可能な実装手法では、決定モジュールは、第１のリソースの時間情報および／または周波数情報を示すために使用され、第１のメッセージに含まれる第２のインジケーション情報に応じて、第１のリソースを決定するようにさらに構成される。
【００４２】
第４の態様または第４の態様の第１の可能な実装手法を参照して、第４の態様の第４の可能な実装手法では、決定モジュールは、第１のメッセージを運ぶ第１のベアラリソースを決定するように構成された第１の決定ユニットと、第１の決定ユニットによって決定された第１のベアラリソースおよび第１のマッピング情報に応じて第１のリソースを決定するように構成された第２の決定ユニットであって、第１のマッピング情報は、第１のベアラリソースと第１のリソースとの間のあらかじめ設定されたマッピング関係である、第２の決定ユニットとを含む。
【００４３】
第４の態様の第１の可能な実装手法ないし第４の可能な実装手法のいずれか１つを参照して、第４の態様の第５の可能な実装手法では、受信ユニットによって受信された第１のメッセージに含まれる第１のリソース、および基地局によって決定され、発見信号を送信するために使用される第２のリソースは、時間リソースおよび／または周波数リソースの少なくとも同じパートを有する。
【００４４】
第５の態様によれば、基地局によって送信された第１のページングメッセージを検出するように構成された検出モジュールであって、この第１のページングメッセージは、第２のリソース上で発見信号を送信するように第２のユーザ機器に指示する、検出モジュールと、この検出モジュールによって検出された第１のページングメッセージに応じて第２のリソースを決定するように構成された決定モジュールと、この決定モジュールによって決定された第２のリソース上で発見信号を送信するように構成された送信モジュールとを含むユーザ機器が提供される。
【００４５】
第５の態様を参照して、第５の態様の第１の可能な実装手法では、検出モジュールは、第１のユーザ機器によって送信された要求メッセージに応じて、基地局によって送信された第１のページングメッセージを検出するようにさらに構成される。
【００４６】
第５の態様または第５の態様の第１の可能な実装手法を参照して、第５の態様の第２の可能な実装手法では、決定モジュールは、検出された第１のページングメッセージに含まれる第２のリソースの時間情報および／または周波数情報に応じて第２のリソースを決定するようにさらに構成される。
【００４７】
第５の態様または第５の態様の第１の可能な実装手法を参照して、第５の態様の第３の可能な実装手法では、決定モジュールは、第２のリソースの時間情報および／または周波数情報を示すために使用され、検出された第１のページングメッセージに含まれる第３のインジケーション情報に応じて、第２のリソースを決定するようにさらに構成される。
【００４８】
第５の態様または第５の態様の第１の可能な実装手法を参照して、第５の態様の第４の可能な実装手法では、決定モジュールは、検出された第１のページングメッセージを運ぶ第２のベアラリソースを決定するように構成された第１の決定ユニットと、第１の決定ユニットによって決定された第２のベアラリソースおよび第２のマッピング情報に応じて第２のリソースを決定するように構成された第２の決定ユニットであって、この第２のマッピング情報は、第２のベアラリソースと第２のリソースとの間のあらかじめ設定されたマッピング関係である、第２の決定ユニットとをさらに含む。
【００４９】
第５の態様または第５の態様の第１の可能な実装手法ないし第４の可能な実装手法のいずれか１つを参照して、第５の態様の第５の可能な実装手法では、検出モジュールは、ユーザ機器のデバイス情報に応じて第１の検出時間を決定するようにデバイスによって構成された第３の決定ユニットと、この第３の決定ユニットによって決定された第１の検出時間に応じて、基地局によって送信された第１のページングメッセージを検出するように構成された第１の検出ユニットとを含む。
【００５０】
第５の態様または第５の態様の第１の可能な実装手法ないし第４の可能な実装手法のいずれか１つを参照して、第５の態様の第５の可能な実装手法では、検出モジュールは、基地局によって送信された第２のページングメッセージをユーザ機器が検出する時間に応じて第２の検出時間を決定するように構成された第４の決定ユニットであって、第２の検出時間、および第２のページングメッセージをユーザ機器が検出する時間が同じである、または所定の時間オフセットによって分離される、第４の決定ユニットと、この第４の決定ユニットによって決定された第２の検出時間に応じて、基地局によって送信された第１のページングメッセージを検出するように構成された第２の検出ユニットとを含む。
【００５１】
第５の態様または第５の態様の第１の可能な実装手法ないし第６の可能な実装手法のいずれか１つを参照して、第５の態様の第７の可能な実装手法では、検出モジュールは、基地局によって送信された制御シグナリングに応じて、基地局が第１のページングメッセージを送信するページングチャネルを決定するように構成された第５の決定ユニットと、この第５の決定ユニットによって決定されたページングチャネルに応じて、基地局によって送信された第１のページングメッセージを検出するように構成された第３の検出ユニットとを含む。
【００５２】
第５の態様の第７の可能な実装手法を参照して、第５の態様の第８の可能な実装手法では、第５の決定ユニットは、基地局によって送信された制御シグナリングを、発見信号ページングメッセージ無線ネットワーク一時識別子（Ｄ−Ｐ−ＲＮＴＩ）またはページングメッセージ無線ネットワーク一時識別子（Ｐ−ＲＮＴＩ）に応じて解析するように構成された解析サブユニットと、この解析サブユニットによって解析された制御シグナリングに応じて、第１のページングメッセージのためのページングチャネルを決定するように構成された決定サブユニットとをさらに含む。
【００５３】
第５の態様または第５の態様の第１の可能な実装手法ないし第８の可能な実装手法のいずれか１つを参照して、第５の態様の第９の可能な実装手法では、検出モジュールによって検出される第１のページングメッセージは、第２のユーザ機器のデバイス情報、または第２のユーザ機器を示すために使用される第４のインジケーション情報を含む。
【００５４】
第５の態様の第９の可能な実装手法を参照して、第５の態様の第１０の可能な実装手法では、送信モジュールは、第１のページングメッセージに含まれるデバイス情報が第２のユーザ機器のデバイス情報を含むまたは第４のインジケーション情報が第２のユーザ機器を示すと決定されたとき、第２のリソース上で発見信号を送信するようにさらに構成される。
【００５５】
第５の態様または第５の態様の第１の可能な実装手法ないし第１０の可能な実装手法のいずれか１つを参照して、第５の態様の第１１の可能な実装手法では、検出モジュールによって検出される第２のリソース、および基地局によって決定され、発見信号を検出するために使用される第１のリソースは、時間リソースおよび／または周波数リソースの少なくとも同じパートを有する。
【００５６】
第６の態様によれば、発見信号を送信するために使用される第２のリソースを決定するように構成された決定モジュールと、第２のユーザ機器に第１のページングメッセージを送信するように構成された送信モジュールであって、この第１のページングメッセージは、決定モジュールによって決定された第２のリソース上で発見信号を送信するように第２のユーザ機器に指示するために使用される、送信モジュールとを含む基地局が提供される。
【００５７】
第６の態様を参照して、第６の態様の第１の可能な実装手法では、決定モジュールは、発見信号を検出するために使用される第１のリソースを決定するようにさらに構成され、この第１のリソースおよび第２のリソースは、時間リソースまたは周波数リソースの少なくとも同じパートを有し、送信モジュールは、第１のユーザ機器に第１のメッセージを送信するようにさらに構成され、第１のメッセージは、決定モジュールによって決定された第１のリソース上で発見信号を検出するように第１のユーザ機器に指示するために使用される。
【００５８】
第６の態様の第１の可能な実装手法を参照して、第６の態様の第２の可能な実装手法では、基地局は、第１のユーザ機器によって送信された要求メッセージを受信するように構成された受信モジュールであって、この要求メッセージは、第２のユーザ機器をトリガして発見信号を送信させるように基地局に要求するために使用され、この要求メッセージは、第２のユーザ機器のデバイス情報、または第２のユーザ機器を示すために使用される第１のインジケーション情報を含む、受信モジュールをさらに含み、送信モジュールは、具体的には、要求メッセージに応じて第２のユーザ機器に第１のページングメッセージを送信するように構成され、送信モジュールは、要求メッセージに応じて第１のユーザ機器に第１のメッセージを送信するようにさらに構成される。
【００５９】
第６の態様の第１の可能な実装手法または第２の可能な実装手法を参照して、第６の態様の第３の可能な実装手法では、送信モジュールによって送信された第１のメッセージは第１のリソースの時間情報および／または周波数情報を含む、または第１のメッセージは、第１のリソースの時間情報および／または周波数情報を示すために使用される第２のインジケーション情報を含む。
【００６０】
第６の態様の第１の可能な実装手法または第２の可能な実装手法を参照して、第６の態様の第４の可能な実装手法では、送信モジュールは、第１のベアラリソース上で第１のユーザ機器に第１のメッセージを送信するようにさらに構成され、したがって、第１のユーザ機器は、第１のベアラリソースおよび第１のマッピング情報に応じて第１のリソースを決定し、第１のマッピング情報は、第１のベアラリソースと第１のリソースとの間のあらかじめ設定されたマッピング関係である。
【００６１】
第６の態様または第６の態様の第１の可能な実装手法ないし第４の可能な実装手法のいずれか１つを参照して、第６の態様の第５の可能な実装手法では、送信モジュールによって送信された第１のページングメッセージは、第２のリソースの時間情報および／または周波数情報を含む、または第１のページングメッセージは、第２のリソースの時間情報および／または周波数情報を示すために使用される第３のインジケーション情報を含む。
【００６２】
第６の態様または第６の態様の第１の可能な実装手法ないし第４の可能な実装手法のいずれか１つを参照して、第６の態様の第６の可能な実装手法では、送信モジュールは、第２のベアラリソース上で第２のユーザ機器に第１のページングメッセージを送信するようにさらに構成され、したがって、第２のユーザ機器は、第２のベアラリソースおよび第２のマッピング情報に応じて、発見情報を送信するために使用される第２のリソースを決定し、この第２のマッピング情報は、第２のベアラリソースと第２のリソースとの間のあらかじめ設定されたマッピング関係である。
【００６３】
第６の態様または第６の態様の第１の可能な実装手法ないし第６の可能な実装手法のいずれか１つを参照して、第６の態様の第７の可能な実装手法では、送信モジュールは、第２のユーザ機器のデバイス情報に応じて第１の送信時間を決定するように構成された第１の決定ユニットと、この第１の決定ユニットによって決定された第１の送信時間に応じて第２のユーザ機器に第１のページングメッセージを送信するように構成された第１の送信ユニットとをさらに含む。
【００６４】
第６の態様または第６の態様の第１の可能な実装手法ないし第６の可能な実装手法のいずれか１つを参照して、第６の態様の第８の可能な実装手法では、送信モジュールは、基地局によって送信された第２のページングメッセージを第２のユーザ機器が検出する時間に応じて第２の検出時間を決定するように構成された第２の決定ユニットであって、第２の検出時間、および第２のページングメッセージを第２のユーザ機器が検出する時間が同じである、または所定の時間オフセットによって分離される、第２の決定ユニットと、この第２の決定ユニットによって決定された第２の送信時間に応じて第２のユーザ機器に第１のページングメッセージを送信するように構成された第２の送信ユニットとをさらに含む。
【００６５】
第６の態様または第６の態様の第１の可能な実装手法ないし第８の可能な実装手法のいずれか１つを参照して、第６の態様の第９の可能な実装手法では、送信モジュールは、第１のページングメッセージのためのページングチャネルを示す制御シグナリング上でスクランブリングを、発見信号ページングメッセージ無線ネットワーク一時識別子Ｄ−Ｐ−ＲＮＴＩまたはページングメッセージ無線ネットワーク一時識別子Ｐ−ＲＮＴＩに応じて実行するように構成されたスクランブリングユニットと、第２のユーザ機器に制御シグナリングを送信し、ページングチャネル上で第２のユーザ機器に第１のページングメッセージを送信するように構成された第３の送信ユニットとをさらに含む。
【００６６】
第６の態様の第１の可能な実装手法ないし第９の可能な実装手法を参照して、第６の態様の第１０の可能な実装手法では、送信モジュールによって送信された第１のページングメッセージは、第２のユーザ機器のデバイス情報、または第２のユーザ機器を示すために使用される第４のインジケーション情報を含み、したがって、第２のユーザ機器は、デバイス情報または第４のインジケーション情報に応じて、第２のリソース上で発見信号を送信するかどうかを決定する。
【００６７】
第６の態様の第１０の可能な実装手法を参照して、第６の態様の第１１の可能な実装手法では、決定モジュールによって決定された第１のリソースの時間リソースは、決定モジュールによって決定された第２のリソースの時間リソースを含み、第１のリソースの周波数リソースは第２のリソースの周波数リソースを含む。
【００６８】
前述の技術的解決策に基づいて、本発明の実施形態における発見信号伝送方法、ユーザ機器、および基地局によれば、基地局は、発見信号を送信するために使用されるリソースを決定し、ユーザ機器をトリガして、このリソース上で発見信号を送信させ、このことが、発見信号が別のユーザ機器によって検出されたときに発見信号を送信するためにユーザ機器によって消費されるエネルギーを効果的に減少させ、ユーザエクスペリエンスを効果的に改善することができる。
【図面の簡単な説明】
【００６９】
本発明の実施形態において技術的解決策をより明確に説明するために、以下は、実施形態を説明するために必要とされる添付の図面を簡単に説明する。明らかに、以下の説明における添付の図面は、本発明のいくつかの実施形態を示すにすぎず、当業者は、創意工夫なしに、これらの添付の図面から他の図面を依然として導き出す。
【図１】本発明の一実施形態による発見信号伝送方法の概略図である。
【図２】本発明の別の実施形態による発見信号伝送方法の概略流れ図である。
【図３】本発明のさらに別の実施形態による発見信号伝送方法の概略流れ図である。
【図４】本発明のさらに別の実施形態による発見信号伝送方法の概略流れ図である。
【図５】本発明のさらに別の実施形態による発見信号伝送方法の概略流れ図である。
【図６】本発明の一実施形態によるユーザ機器の概略ブロック図である。
【図７】本発明の一実施形態による別のユーザ機器の概略ブロック図である。
【図８】本発明の一実施形態による基地局の概略ブロック図である。
【図９】本発明の別の実施形態によるユーザ機器の概略ブロック図である。
【図１０】本発明の別の実施形態による別のユーザ機器の概略ブロック図である。
【図１１】本発明の別の実施形態による基地局の概略ブロック図である。
【発明を実施するための形態】
【００７０】
以下は、本発明の実施形態において添付の図面を参照して、本発明の実施形態において技術的解決策を明確および完全に説明する。明らかに、説明される実施形態は、本発明の実施形態のうちのいくつかであるが、すべてではない。創意工夫なしに本発明の実施形態に基づいて当業者によって得られるすべての他の実施形態は、本発明の保護範囲に含まれるものとする。
【００７１】
本発明の実施形態において、ユーザ機器（Ｕｓｅｒ  Ｅｑｕｉｐｍｅｎｔ、略して「ＵＥ」）は、端末（Ｔｅｒｍｉｎａｌ）、移動局（Ｍｏｂｉｌｅ  Ｓｔａｔｉｏｎ、略して「ＭＳ」）、モバイルユーザ機器（Ｍｏｂｉｌｅ  Ｔｅｒｍｉｎａｌ）などと呼ばれることが理解されるべきである。ユーザ機器は、携帯電話（または、「セルラー」電話と呼ばれる）、モバイルユーザ機器を有するコンピュータなどである。たとえば、ユーザ機器はまた、ポータブルモバイル装置、ポケットサイズのモバイル装置、ハンドヘルドモバイル装置、コンピュータ内蔵モバイル装置、または車載モバイル装置である。
【００７２】
本発明の実施形態では、基地局は、ＬＴＥにおける進化型ノードＢ（ｅＮＢまたはｅノードＢ、進化ノードＢ）であり、またはＷＣＤＭＡにおけるノードＢ（Ｎｏｄｅ  Ｂ）であり、またはＧＳＭまたはＣＤＭＡにおける送受信基地局（ＢＴＳ、Ｂａｓｅ  Ｔｒａｎｓｃｅｉｖｅｒ  Ｓｔａｔｉｏｎ）であり、またはＤ２Ｄ通信におけるユーザクラスタのクラスタヘッド（Ｃｌｕｓｔｅｒ  Ｈｅａｄ）であり、これは本発明では制限されないことも理解されるべきである。
【００７３】
本発明の技術的解決策をより良く説明するために、図１は、本発明の一実施形態による発見信号伝送方法の概略図を示す。図１に示されるように、（１）第１のユーザ機器が基地局に要求メッセージを送信し、この要求メッセージは、第２のユーザ機器をトリガして発見信号を送信させるように基地局に要求するために使用され、（２ａ）要求メッセージを受信した後、基地局が、第２のユーザ機器に第１のページングメッセージを送信し、この第１のページングメッセージは、発見信号を送信するために使用される第２のリソースを示す、すなわち、第１のページングメッセージは、第２のリソース上で発見信号を送信するように第２のユーザ機器に指示し、（２ｂ）基地局が第１のユーザ機器に第１のメッセージを送信し、この第１のメッセージは、発見信号を検出するために使用される第１のリソースを示す、すなわち、第１のリソース上で発見信号を検出するように第１のユーザ機器に指示し、第１のリソースおよび第２のリソースは、時間リソースおよび／または周波数リソースの少なくとも同じパートを有し、（３ａ）基地局によって配信された第１のページングメッセージが検出された後、第２のユーザ機器が第２のリソース上で発見信号を送信し、（３ｂ）基地局によって配信された第１のメッセージを受信した後、第１のユーザ機器が第１のリソース上で発見信号を検出する。
【００７４】
第１のリソースおよび第２のリソースは、時間リソースおよび／または周波数リソースの少なくとも同じパートを有する。したがって、第２のユーザ機器は、基地局によって割り当てられた第２のリソース上のみで発見信号を送信し、システムによって予約されたリソース上で発見信号を定期的に送信する必要はなく、このことは、第１のユーザ機器が、第２のユーザ機器によって送信された発見信号を検出することを保証することができ、ユーザ機器によって消費されるエネルギーを効果的に減少させることができる。
【００７５】
図１に示される第１のユーザ機器は、発見信号を検出する必要がある任意の１または複数のユーザ機器またはユーザ機器グループであり、第２のユーザ機器も、１または複数のユーザ機器またはユーザ機器グループであり、これは、本発明の本実施形態では制限されないことが理解されるべきである。
【００７６】
図１に示される行動（２ａ）および（２ｂ）は逐次的でなく、これは、本発明の本実施形態では制限されないことが理解されるべきである。第１のユーザ機器によって送信された要求メッセージを受信することなく、基地局は、第２のユーザ機器および第１のユーザ機器にそれぞれ第１のページングメッセージおよび第１のメッセージを依然として送信することができ、すなわち、図１に示される行動（１）は任意選択であり、これは、本発明の本実施形態では制限されないことも理解されるべきである。
【００７７】
基地局は、本発明の本実施形態では制限されないブロードキャスト形式またはポイントツーポイント形式で、第１のユーザ機器および第２のユーザ機器にメッセージを配信する（図１に示される行動（２ａ）および（２ｂ））ことも理解されるべきである。第２のユーザ機器は、本発明の本実施形態では制限されないポイントツーポイント形式で第１のユーザ機器に発見信号を送信する。本発明における基地局とユーザ機器との間の任意の通信伝送は、本発明の本実施形態では制限されないショートメッセージフォーマットまたはデータパケットフォーマットを使用することによって実行されることも理解されるべきである。
【００７８】
基地局上で配信される第１のページングメッセージは、発見信号を送信するために使用されるリソースを示し、第１のメッセージは、発見信号を検出するために使用されるリソースを示す、すなわち、２つのメッセージは両方とも、リソーススケジューリング情報を運ぶことも理解されるべきである。一般的なリソーススケジューリング情報では、リソースの使用時間は固定される。本発明の本実施形態では、第１のページングメッセージ内で運ばれるリソーススケジューリング情報によって示される第２のリソースの使用時間と第１のページングメッセージを送信する時間との間に強制的（暗黙的）連鎖関係が存在せず、第１のメッセージ内のリソーススケジューリング情報によって示される第１のリソースの使用時間と第１のメッセージを送信する時間との間にもまた強制的（暗黙的）連鎖関係が存在せず、これは、本発明では制限されない。
【００７９】
図１に示される技術的解決策は本発明の代表的な一実施形態にすぎず、本発明の技術的解決策は本明細書では制限されないことも理解されるべきである。以下は、発見信号を検出する第１のユーザ機器の観点、発見信号を送信する第２のユーザ機器の観点、および基地局の観点から、本発明の技術的解決策を詳細に個別に説明する。
【００８０】
本発明の本実施形態では、第２のユーザ機器は、基地局によって送信された第１のページングメッセージを検出し、第１のユーザ機器は発見信号を検出し、検出する行動は、具体的には、メッセージを検出し、次いでメッセージを受信することを指すことが理解されるべきである。
【００８１】
図２は、本発明の一実施形態による発見信号伝送方法１００を示し、方法１００は、第１のユーザ機器によって実行される。図２に示されるように、方法１００は、以下のステップを含む。
【００８２】
Ｓ１１０。第１のユーザ機器は、基地局によって送信された第１のメッセージを受信し、この第１のメッセージは、第１のリソース上で発見信号を検出するように第１のユーザ機器に指示する。
【００８３】
Ｓ１２０。第１のユーザ機器は、第１のメッセージに応じて第１のリソースを決定する。
【００８４】
Ｓ１３０。第１のユーザ機器は、第１のリソース上で発見信号を検出する。
【００８５】
第１のユーザ機器は、基地局によって送信された第１のメッセージに応じて、発見信号を検出するために使用される第１のリソースを決定し、第１のメッセージに応じて第１のリソース上で発見信号を検出する。
【００８６】
したがって、本発明の本実施形態において提供される発見信号伝送方法によれば、第１のユーザ機器は、基地局によって送信された第１のメッセージに応じて、基地局によって割り当てられた第１のリソース上で発見信号を検出し、このことは、システムによって予約されたリソース上での発見信号検出を定期的に実行することを回避し、発見信号検出中に第１のユーザ機器によって消費されるエネルギーを効果的に減少させ、ユーザエクスペリエンスを効果的に改善することができる。
【００８７】
第１のユーザ機器に基地局によって割り当てられ、発見信号を検出するために使用される第１のリソース、および発見信号を送信するリソースは、時間リソースおよび／または周波数リソースの少なくとも同じパートを有することが理解されるべきである。たとえば、発見信号が、システムによって予約されたリソース上で定期的に送信されるとき、第１のリソースは、システムによって予約されたリソース上のいくつかの時間−周波数リソースである。または、基地局が、発見信号を送信するために使用される第２のリソースを割り当てるとき、第１のリソースおよび第２のリソースは、時間リソースおよび／または周波数リソースの少なくとも同じパートを有し、このことは、第１のユーザ機器が、第１のリソース上で発見信号を検出して、周囲の別のユーザ機器を発見することができることを保証する。
【００８８】
任意選択で、本発明の本実施形態では、第１のリソース、および基地局によって決定され、発見信号を送信するために使用される第２のリソースは、時間リソースおよび／または周波数リソースの少なくとも同じパートを有する。
【００８９】
Ｓ１２０において、第１のユーザ機器は、第１のメッセージに応じて第１のリソースを決定し、具体的には、第１のリソースの時間リソースおよび／または周波数リソースを決定する。本発明の本実施形態では、第１のユーザ機器は、第１のメッセージが第１のリソースを運ぶ明示的ベアラ手法または第１のメッセージが第１のリソースを運ぶ暗黙的ベアラ手法に応じて、第１のリソースを決定する。
【００９０】
（１）第１のメッセージが第１のリソースを運ぶ明示的ベアラ手法は、第１のメッセージが第１のリソースの時間情報および／または周波数情報を示すことを含む。具体的には、第１のメッセージは、第１のリソースの時間情報および／または周波数情報を直接的に含む。たとえば、第１のメッセージは、開始時間および終了時間、開始時間および持続時間、リソースのフレーム番号もしくはサブフレーム番号、または第１のリソースの時間情報を示すことができる他の任意の情報などの、第１のリソースの時間情報を含む。第１のメッセージは、物理リソースブロックペア（Ｐｈｙｓｉｃａｌ  Ｒｅｓｏｕｒｃｅ  Ｂｌｏｃｋ  Ｐａｉｒ、略して「ＰＲＢ  Ｐａｉｒ」）、または第１のリソースの周波数情報を示すことができる他の任意の情報などの、第１のリソースの周波数情報をさらに直接的に含む。具体的には、第１のリソースのための明示的ベアラ手法は、さらに、次のとおりである。第１のメッセージは、第１のリソースの時間情報および／または周波数情報を示すために使用されるインジケーション情報を含む。インジケーション情報は、たとえば、システムにより定義されたＭ番目のリソースを第１のリソースとして使用することである。システムにより定義されたリソースの時間情報および／または周波数情報は、基地局およびユーザ機器に公知であるので、第１のユーザ機器は、インジケーション情報に応じて第１のリソースの時間情報および／または周波数情報を決定する。あるいは、インジケーション情報は、たとえば、第１のメッセージを送信する時間Ｔの後のＭ番目の所定のリソースが第１のリソースとして使用されることである。あるいは、インジケーション情報は、第１のリソースの時間情報および／または周波数情報を示すことができる他の任意の形式のインジケーション情報である。
【００９１】
（２）第１のメッセージが第１のリソースを運ぶ暗黙的ベアラ手法は、以下を含む。第１のメッセージは、第１のリソースの時間情報および／または周波数情報を直接的に示さず、第１のリソースの時間情報および／または周波数情報を示すインジケーション情報を含まない。ユーザ機器は、あらかじめ設定されたマッピング情報および第１のメッセージを運ぶベアラリソースに応じて、発見信号を検出するために使用される第１のリソースを決定する。
【００９２】
明示的ベアラ手法で第１のリソースを運ぶ第１のメッセージを受信した後、第１のユーザ機器は、第１のリソースの時間情報および／または周波数情報、または第１のメッセージに含まれる、時間情報および／または周波数情報を示すインジケーションメッセージに応じて、第１のリソースの特定の時間リソースおよび／または特定の周波数リソースを直接的に決定する。
【００９３】
任意選択で、本発明の本実施形態では、第１のメッセージに応じて第１のリソースを第１のユーザ機器によって決定することは、
第１のメッセージに含まれる第１のリソースの時間情報および／または周波数情報に応じて、第１のリソースを第１のユーザ機器によって決定すること
を含む。
【００９４】
具体的には、第１のユーザ機器は、開始時間および終了時間、開始時間および持続時間、またはリソースのフレーム番号もしくはサブフレーム番号などの、第１のメッセージに含まれる情報に応じて第１のリソースの時間情報を決定する、またはＰＲＢ  Ｐａｉｒ情報に応じて第１のリソースの周波数情報を決定する。
【００９５】
任意選択で、本発明の本実施形態では、第１のメッセージに応じて第１のリソースを第１のユーザ機器によって決定することは、
第１のリソースの時間情報および／または周波数情報を示すために使用され、第１のメッセージに含まれる第２のインジケーション情報に応じて、第１のリソースを第１のユーザ機器によって決定すること
を含む。
【００９６】
基地局によって送信され、リソース情報を運ばない第１のメッセージを受信した後、第１のユーザ機器は、第１のメッセージを運ぶ第１のベアラリソースを決定し、次いで、第１のベアラリソースと第１のリソースとの間のあらかじめ設定されたマッピング関係に関して、発見信号を検出するために使用される第１のリソースを決定する。
【００９７】
具体的には、たとえば、第１のメッセージが、システムにより定義されたＭ番目のリソースが第１のリソースとして使用されることを示す場合、第１のユーザ機器は、システムにより定義されたＭ番目のリソースに応じて、第１のリソースの時間情報および／または周波数情報を決定する。別の例では、第１のメッセージが、第１のメッセージを送信する時間Ｔの後のＮ番目の所定のリソースが第１のリソースとして使用されることを示す場合、第１のユーザ機器は、（Ｔ＋Ｎ）番目の所定のリソースに応じて、第１のリソースの時間情報および／または周波数情報を決定する。
【００９８】
任意選択で、本発明の本実施形態では、第１のメッセージに応じて第１のリソースを第１のユーザ機器によって決定することは、
第１のメッセージを運ぶ第１のベアラリソースを第１のユーザ機器によって決定することと、
第１のベアラリソースおよび第１のマッピング情報に応じて第１のリソースを第１のユーザ機器によって決定することであって、第１のマッピング情報は、第１のベアラリソースと第１のリソースとの間のあらかじめ設定されたマッピング関係である、決定することと
を含む。
【００９９】
第１のベアラリソースは、第１のメッセージを運ぶ時間リソースもしくは周波数リソースまたは時間リソースおよび周波数リソースであることが理解されるべきである。第１のマッピング情報は、第１のベアラリソースと発見信号を検出するために使用される第１のリソースとの間のあらかじめ設定されたマッピング関係である。たとえば、第１のベアラリソースがリソースＥであるとき、対応するリソースＥ＋Ｎ１が第１のリソースである。第１のベアラリソースがリソースＦであるとき、対応するリソースＦ＋Ｎ２が第１のリソースである。すなわち、第１のユーザ機器が、基地局によって送信された第１のメッセージに応じて、第１のメッセージを運ぶ第１のベアラリソースを決定した後、第１のユーザ機器は、あらかじめ設定された第１のマッピング情報に応じて、発見信号を検出するために使用される第１のリソースを決定する。第１のマッピング情報は、第１のベアラリソースと第１のリソースとの間にあり、システムによってあらかじめ設定されるまたはシステムによって一時的に配信されるシグナリングによって示されるマッピング関係であり、これは、本発明では制限されないことも理解されるべきである。
【０１００】
第１のユーザ機器は、基地局によって送信された第１のメッセージを受信する前に、対応するデバイスをトリガして発見信号を送信させるように基地局にさらに積極的に要求する。
【０１０１】
任意選択で、本発明の本実施形態では、基地局によって送信された第１のメッセージを第１のユーザ機器によって受信する前に、方法は、
基地局に要求メッセージを第１のユーザ機器によって送信することであって、この要求メッセージは、第２のユーザ機器をトリガして発見信号を送信させるように基地局に要求するために使用され、この要求メッセージは、第２のユーザ機器のデバイス情報、または第２のユーザ機器を示すために使用される第１のインジケーション情報を含む、送信すること
をさらに含む。
【０１０２】
具体的には、デバイス情報は、具体的には、ユーザ機器が属するユーザの名前および電話番号などのユーザ機器の識別情報である。デバイス情報は、最初の３桁が１５２であるモバイル番号を各々有するユーザ機器グループなどのユーザ機器のグループ識別情報である。デバイス情報は、ノートブックコンピュータなどのユーザ機器種類情報である。デバイス情報は、ユーザ機器サービス種類などである。要求メッセージは、第２のユーザ機器をトリガして発見信号を送信させるように基地局に要求するために使用され、第２のユーザ機器は１または複数のユーザ機器である、または１または複数のユーザ機器グループであることが理解されるべきである。具体的には、要求メッセージは、発見信号を送信するように１もしくは複数のユーザ機器に要求するために使用される１もしくは複数のユーザ機器の識別情報を運ぶ、または、発見信号を送信するように１もしくは複数のユーザ機器グループに含まれるユーザ機器に要求するために使用される１もしくは複数のユーザ機器グループの識別情報を運ぶ、または、発見信号を送信するように１もしくは複数のユーザ機器種類に対応するユーザ機器に要求するために使用される１もしくは複数のユーザ機器種類情報を運ぶ、または、発見信号を送信するように１もしくは複数のサービス種類に対応するユーザ機器に要求するために使用される１もしくは複数のサービス種類情報を運ぶ。
【０１０３】
あるいは、要求メッセージは、前述のデバイス情報を直接的に含まず、前述のデバイス情報を間接的に示す第１のインジケーション情報を含む。第１のインジケーション情報は、たとえば、独立変数が前述のデバイス情報であるハッシュ関数であるか、または第２のユーザ機器を示す他の情報である。
【０１０４】
第１のユーザ機器によって送信される要求メッセージは、国際移動体加入者識別番号（Ｉｎｔｅｒｎａｔｉｏｎａｌ  Ｍｏｂｉｌｅ  Ｓｕｂｓｃｒｉｂｅｒ  Ｉｄｅｎｔｉｔｙ、略して「ＩＭＳＩ」）、一時的モバイル加入者識別情報（Ｔｅｍｐｏｒａｒｙ  Ｍｏｂｉｌｅ  Ｓｕｂｓｃｒｉｂｅｒ  Ｉｄｅｎｔｉｔｙ、略して「ＴＭＳＩ」）などをさらに含む。
【０１０５】
したがって、本発明の本実施形態における発見信号伝送方法によれば、第１のユーザ機器は、基地局によって送信された第１のメッセージに応じて、基地局によって割り当てられた第１のリソース上で発見信号を検出し、このことは、システムによって予約されたリソース上での発見信号検出を定期的に実行することを回避し、発見信号検出中に第１のユーザ機器によって消費されるエネルギーを効果的に減少させ、ユーザエクスペリエンスを効果的に改善することができる。
【０１０６】
本発明の実施形態による発見信号伝送方法１００は、発見信号を検出する第１のユーザ機器の観点から、図１および図２を参照しながら上記で詳細に説明されている。以下は、図３を参照して、発見信号を送信する第２のユーザ機器の観点から、本発明の一実施形態による発見信号伝送方法２００を説明する。
【０１０７】
図３に示されるように、本発明の本実施形態による発見信号伝送方法２００は、たとえば、第２のユーザ機器によって実行され、方法２００は、以下のステップを含む。
【０１０８】
Ｓ２１０。第２のユーザ機器が、基地局によって送信された第１のページングメッセージを検出し、この第１のページングメッセージは、第２のリソース上で発見信号を送信するように第２のユーザ機器に指示する。
【０１０９】
Ｓ２２０。第２のユーザ機器は、検出された第１のページングメッセージに応じて第２のリソースを決定する。
【０１１０】
Ｓ２３０。第２のユーザ機器は、第２のリソース上で発見信号を送信する。
【０１１１】
第２のユーザ機器は、基地局によって送信された第１のページングメッセージを検出し、第１のページングメッセージに応じて、発見信号を送信するために使用される第２のリソースを決定し、第２のリソース上で発見信号を送信する。Ｄ２Ｄ通信では、発見信号を検出するユーザ機器は、一般に、システムによって予約されたリソース上で発見信号検出を定期的に実行し続けて、周囲のユーザ機器を発見することが理解されるべきである。したがって、基地局によって割り当てられた第２のリソース上で第２のユーザ機器によって発見信号を送信することは、図１に示される第１のユーザ機器などの別のユーザ機器に、第２のリソース上で発見信号を検出させることができる。
【０１１２】
したがって、本発明の本実施形態における発見信号伝送方法によれば、第２のユーザ機器は、基地局によって送信された第１のページングメッセージに応じて、基地局によって割り当てられた第２のリソース上で発見信号を送信し、このことが、第２のユーザ機器が、システムによって予約されたリソース上で発見信号を定期的に送信するのを防止させ、発見信号を検出する効率に影響を与えることなく、発見信号を送信するために第２のユーザ機器によって消費されるエネルギーを効果的に減少させ、ユーザエクスペリエンスを改善することができる。
【０１１３】
基地局によって第２のユーザ機器に割り当てられ、発見信号を送信するために使用される第２のリソース、および基地局によって決定され、発見信号を検出するために使用される第１のリソースは、時間リソースおよび／または周波数リソースの少なくとも同じパートをさらに有することが理解されるべきである。
【０１１４】
本発明の本実施形態では、任意選択で、第２のリソース、および基地局によって決定され、発見信号を検出するために使用される第１のリソースは、時間リソースおよび／または周波数リソースの少なくとも同じパートを有する。
【０１１５】
Ｓ２１０において、第２のユーザ機器は、基地局によって送信された第１のページングメッセージを検出し、第１のページングメッセージは、システムによってあらかじめ設定された期間に応じて基地局によって送信される。たとえば、システムは、１．２８秒を、第１のページングメッセージを送信する１期間としてあらかじめ設定する。あるいは、第１のページングメッセージは、システムの要件または別のユーザ機器の要求に応じて送信される。たとえば、図１に示されるように、第１のユーザ機器によって送信された要求メッセージを受信した後、基地局は、第１のページングメッセージを第２のユーザ機器に送信する。
【０１１６】
本発明の本実施形態では、任意選択で、基地局によって送信された第１のページングメッセージを第２のユーザ機器によって検出することは、
第１のユーザ機器によって送信された要求メッセージに応じて、基地局によって送信された第１のページングメッセージを第２のユーザ機器によって検出すること
を含む。
【０１１７】
Ｓ２２０において、第２のユーザ機器は、検出された第１のページングメッセージに応じて第２のリソースを決定する。具体的には、第２のリソースの時間リソースまたは周波数リソース、またはこの両方が決定される。本発明の本実施形態では、第２のユーザ機器は、第１のページングメッセージが第２のリソースを運ぶ明示的ベアラ手法または第１のページングメッセージが第２のリソースを運ぶ暗黙的ベアラ手法に応じて、第２のリソースを決定し、このことは、以下で詳細に説明されることになっている。
【０１１８】
（１）第１のページングメッセージが第２のリソースを運ぶ明示的ベアラ手法は、第１のページングメッセージが第２のリソースの時間情報および／または周波数情報を示すことを含む。第１のページングメッセージは、第２のリソースの時間情報および／または周波数情報を直接的に含む。たとえば、第１のページングメッセージは第２のリソースの時間情報を含み、第２のリソースの時間情報は、開始時間および終了時間、開始時間および持続時間、リソースのフレーム番号もしくはサブフレーム番号、または第２のリソースの時間情報を示すことができる他の任意の情報を含む。第１のページングメッセージは第２のリソースの周波数情報を含み、第２のリソースの周波数情報は、物理リソースブロックペア（Ｐｈｙｓｉｃａｌ  Ｒｅｓｏｕｒｃｅ  Ｂｌｏｃｋ  Ｐａｉｒ、略して「ＰＲＢ  Ｐａｉｒ」）、または第２のリソースの周波数情報を示すことができる他の任意の情報を含む。具体的には、第２のリソースのための明示的ベアラ手法は、さらに、次のとおりである。第１のページングメッセージは、第２のリソースの時間情報および／または周波数情報を示すために使用されるインジケーション情報を含む。インジケーション情報は、システムにより定義されたＭ番目のリソースを第２のリソースとして使用することである。システムにより定義されたリソースの時間情報および／または周波数情報は、基地局およびユーザ機器に公知であるため、第２のユーザ機器は、インジケーション情報に応じて第２のリソースの時間情報および／または周波数情報を決定する。あるいは、インジケーション情報は、たとえば、第１のページングメッセージを送信する時間Ｔの後のＮ番目の所定のリソースが第２のリソースとして使用されることである。あるいは、インジケーション情報は、第２のリソースの時間情報および／または周波数情報を示すことができる他の任意の形式のインジケーション情報である。
【０１１９】
（２）第１のページングメッセージが第２のリソースを運ぶ暗黙的ベアラ手法は、第１のページングメッセージが、第２のリソースを直接的に示さず、第２のリソースを示すインジケーション情報も含まないことを含む。ユーザ機器は、あらかじめ設定されたマッピング情報および第１のページングメッセージを運ぶベアラリソースに応じて、発見信号を送信するために使用される第２のリソースを決定する必要がある。
【０１２０】
明示的ベアラ手法において第２のリソースを運ぶ第１のページングメッセージを受信した後、第２のユーザ機器は、第２のリソースの時間情報および／または周波数情報、または検出された第１のページングメッセージに含まれる時間情報および／または周波数情報を示すインジケーション情報に応じて、第２のリソースを直接的に決定する。
【０１２１】
本発明の本実施形態では、任意選択で、検出された第１のページングメッセージに応じて第２のリソースを第２のユーザ機器によって決定することは、
検出された第１のページングメッセージに含まれる第２のリソースの時間情報および／または周波数情報に応じて、第２のリソースを第２のユーザ機器によって決定すること
を含む。
【０１２２】
具体的には、第２のユーザ機器は、たとえばＰＲＢ  Ｐａｉｒ情報、または開始時間および終了時間、開始時間および持続時間、またはリソースのフレーム番号もしくはサブフレーム番号などの、検出された第１のページングメッセージに含まれる情報に応じて、第２のリソースの時間情報を決定する。
【０１２３】
本発明の本実施形態では、任意選択で、検出された第１のページングメッセージに応じて第２のリソースを第２のユーザ機器によって決定することは、
第２のリソースの時間情報および／または周波数情報を示すために使用され、検出された第１のページングメッセージに含まれる第３のインジケーション情報に応じて、第２のリソースを第２のユーザ機器によって決定すること
を含む。
【０１２４】
第２のユーザ機器は、第２のリソースの時間情報および／または周波数情報を示すために使用され、第１のページングメッセージに含まれる第３のインジケーション情報に応じて、発見信号を送信するために使用される第２のリソースを決定する。
【０１２５】
具体的には、たとえば、第１のページングメッセージが、システムにより定義されたＭ番目のリソースが第２のリソースとして使用されることを示す場合、第２のユーザ機器は、システムにより定義されたＭ番目のリソースに応じて、第２のリソースの時間情報および／または周波数情報を決定する。別の例では、第１のページングメッセージが、第１のページングメッセージを送信する時間Ｔの後のＮ番目の所定のリソースが第２のリソースとして使用されることを示す場合、第２のユーザ機器は、（Ｔ＋Ｎ）番目の所定のリソースに応じて、第２のリソースの時間情報および／または周波数情報を決定する。
【０１２６】
任意選択で、本発明の本実施形態では、検出された第１のページングメッセージに応じて第２のリソースを第２のユーザ機器によって決定することは、
検出された第１のページングメッセージを運ぶ第２のベアラリソースを第２のユーザ機器によって決定することと、
第２のベアラリソースおよび第２のマッピング情報に応じて第２のリソースを第２のユーザ機器によって決定することであって、この第２のマッピング情報は、第２のベアラリソースと第２のリソースとの間のあらかじめ設定されたマッピング関係である、決定することと
を含む。
【０１２７】
第２のベアラリソースは、第１のページングメッセージを運ぶ時間リソースもしくは周波数リソースまたは時間リソースおよび周波数リソースであることが理解されるべきである。第２のマッピング情報は、システムによってあらかじめ設定された、第２のベアラリソースと第２のリソースとの間のマッピング関係である。たとえば、第２のベアラリソースがリソースＥであるとき、対応するリソースＥ＋Ｎ１が第２のリソースである。第２のベアラリソースがリソースＦであるとき、対応するリソースＦ＋Ｎ２が第２のリソースである。すなわち、第２のユーザ機器が、基地局によって送信された第１のページングメッセージに応じて、第１のページングメッセージを運ぶ第２のベアラリソースを決定した後、第２のユーザ機器は、あらかじめ設定された第２のマッピング情報に応じて、発見信号を検出するために使用される第２のリソースを決定する。第２のマッピング情報は、第２のベアラリソースと第２のリソースとの間にあり、システムによってあらかじめ設定されるまたはシステムによって一時的に配信されるシグナリングによって示されるマッピング関係であり、これは、本発明では制限されないことも理解されるべきである。
【０１２８】
Ｓ２１０において、第２のユーザ機器は、基地局によって送信された第１のページングメッセージを検出する。具体的には、第２のユーザ機器は、特定の期間に応じて第１のページングメッセージを検出し、または、第２のユーザ機器は、基地局によって送信されたページングメッセージをアイドルモードの第２のユーザ機器が検出する時間に応じて、第１のページングメッセージを検出する。
【０１２９】
任意選択で、本発明の本実施形態では、基地局によって送信された第１のページングメッセージを第２のユーザ機器によって検出することは、
第２のユーザ機器のデバイス情報に応じて第１の検出時間を第２のユーザ機器によって決定することと、
第１の検出時間に応じて、基地局によって送信された第１のページングメッセージを第２のユーザ機器によって検出することと
を含む。
【０１３０】
具体的には、第１の検出時間は、第２のユーザ機器のデバイス情報に応じて決定され、第２のユーザ機器のデバイス情報は、具体的には、ユーザ機器の識別情報、ユーザ機器のグループ識別情報、ユーザ機器種類情報、ユーザ機器サービス種類情報などである。第２のユーザ機器は、デバイス情報に応じて第１の検出時間を決定する。たとえば、第２のユーザ機器のデバイス情報がユーザ機器の識別子（ＦＥ）である場合、第１の検出時間Ｔは、関数モデルＴ＝ｍｏｄ（ＩＤ，Ｍ）を使用することによって決定され、Ｍは１ページング期間に含まれるタイムスロットの総量である。たとえば、１０２４のデータフレームが１ページング期間に含まれる場合、Ｍは１０２４である。ユーザ機器のＩＤが３６３３であるという仮定の下で、第１の検出時間Ｔはｍｏｄ（３６３３，１０２４）であり、すなわち、第１の検出時間は、１０２４のデータフレームの各期間における５６１番目のデータフレームである。関数モデルｍｏｄ（）は、ユーザ機器のＩＤと、１ページング期間に含まれるタイムスロットの総量と、第１の検出時間Ｔとの間の関係の経験的モデルであることが理解されるべきである。
【０１３１】
基地局によって第２のユーザ機器に送信された第１のページングメッセージは、特殊なページングメッセージとみなされ、第１のページングメッセージは、第２のリソース上で発見信号を送信するように第２のユーザ機器に指示するために使用され、基地局は、第２のユーザ機器がアイドルモードであるときに第２のユーザ機器にページングメッセージを送信する時間に応じて、第１のページングメッセージを送信する時間を決定し、したがって、第２のユーザ機器はまた、基地局によって送信されたページングメッセージを検出する時間に応じて、第１のページングメッセージの時間を検出することができることに留意されたい。
【０１３２】
任意選択で、本発明の本実施形態では、基地局によって送信された第１のページングメッセージを第２のユーザ機器によって検出することは、
基地局によって送信された第２のページングメッセージを第２のユーザ機器が検出する時間に応じて第２の検出時間を第２のユーザ機器によって決定することであって、この第２の検出時間と、第２のページングメッセージを第２のユーザ機器が検出する時間が同じである、または所定の時間オフセットによって分離される、決定することと、
第２の検出時間に応じて、基地局によって送信された第１のページングメッセージを第２のユーザ機器によって検出することと
を含む。
【０１３３】
第２のページングメッセージは、第２のユーザ機器がアイドルモードであるとき、基地局によって第２のユーザ機器に送信されたページングメッセージである。第２のページングメッセージは、システムメッセージ変更を示すために使用されるか、または、第２のページングメッセージは、アイドルモードから接続モード（たとえば、通話がきた）に切り換えるようにユーザ機器に指示するために使用される。具体的には、アイドルモードのユーザ機器は、基地局によって配信された第２のページングメッセージの検出を定期的に実行する。ユーザ機器が第２のページングメッセージを受信する期間はシステムによって設定され、異なるユーザ機器は、０．３２秒、０．６４秒、１．２８秒、および２．５６秒などの異なるページング期間に設定される。ユーザ機器のページング期間が２．５６秒に設定される場合、２．５６秒の期間内で、ユーザ機器は、ページングメッセージ検出を１回実行する。
【０１３４】
本発明の本実施形態では、具体的には、たとえば、第２のユーザ機器が第２のページングメッセージの検出を実行する期間が０．３２秒である場合、第２のユーザ機器は、第２の検出時間を０．３２秒と決定する、すなわち、第２のユーザ機器は、第１のページングメッセージの検出を０．３２秒に１回実行する。または、第２のユーザ機器は、第２の検出時間を０．３２＋ΔＴ秒と決定する、すなわち、第２のユーザ機器は、第１のページングメッセージの検出を０．３２＋ΔＴ秒に１回実行する。
【０１３５】
第２のユーザ機器によって第１のページングメッセージを検出する検出時間は、基地局によって第１のページングメッセージを送信する送信時間と一致し、第２のユーザ機器によって検出時間を決定するための方法は、システムによってあらかじめ設定された情報またはシステムによって配信されるシグナリングに応じて決定されることが理解されるべきである。要約すれば、第２のユーザ機器によって第１のページングメッセージを検出する検出時間が、基地局によって第１のページングメッセージを送信する送信時間と一致することのみ保証する必要がある。
【０１３６】
Ｓ２１０において、第２のユーザ機器が、基地局によって送信された第１のページングメッセージを検出する。具体的には、第２のユーザ機器に送信された第１のページングメッセージに加えて、基地局は、第１のページングメッセージに対応する制御シグナリングも送信し、この制御シグナリングは、第１のページングメッセージが置かれるページングチャネルを示すために使用され、第２のユーザ機器に制御シグナリングを送信するとき、基地局は最初に、制御シグナリング上でスクランブリングを実行する。本発明の本実施形態では、基地局は、発見信号ページングメッセージ無線ネットワーク一時識別子（Ｄｉｓｃｏｖｅｒｙ−Ｐａｇｉｎｇ−Ｒａｄｉｏ  Ｎｅｔｗｏｒｋ  Ｔｅｍｐｏｒａｒｙ  Ｉｄｅｎｔｉｆｉｅｒ、略して「Ｄ−Ｐ−ＲＮＴＩ」）またはページングメッセージ無線ネットワーク一時識別子（Ｐａｇｉｎｇ−Ｒａｄｉｏ  Ｎｅｔｗｏｒｋ  Ｔｅｍｐｏｒａｒｙ  Ｉｄｅｎｔｉｆｉｅｒ、略して「Ｐ−ＲＮＴＩ」）を使用することによって、制御シグナリング上でスクランブリングを実行する。したがって、第２のユーザ機器はまた、第１のページングメッセージのためのページングチャネルを決定するようにＤ−Ｐ−ＲＮＴＩまたはＰ−ＲＮＴＩに応じて制御シグナリングを解析し、次いで、決定されたページングチャネル上で第１のページングメッセージを検出する。
【０１３７】
任意選択で、本発明の本実施形態では、基地局によって送信された第１のページングメッセージを第２のユーザ機器によって検出することは、
基地局によって送信された制御シグナリングに応じて、基地局が第１のページングメッセージを送信するページングチャネルを第２のユーザ機器によって決定することと、
このページングチャネルに応じて、基地局によって送信された第１のページングメッセージを第２のユーザ機器によって検出することと
を含む。
【０１３８】
任意選択で、本発明の本実施形態では、基地局が第１のページングメッセージを送信するページングチャネルを第２のユーザ機器によって決定することは、
基地局によって送信された制御信号を、発見信号ページングメッセージ無線ネットワーク一時識別子（Ｄ−Ｐ−ＲＮＴＩ）またはページングメッセージ無線ネットワーク一時識別子（Ｐ−ＲＮＴＩ）に応じて第２のユーザ機器によって解析することと、
解析された制御シグナリングに応じて第１のページングメッセージのためのページングチャネルを決定することと
を含む。
【０１３９】
具体的には、基地局によって送信された制御シグナリングを受信した後、第２のユーザ機器は、制御シグナリングのためのスクランブリング方法に応じて、制御シグナリングを解析する手法、たとえばＤ−Ｐ−ＲＮＴＩまたはＰ−ＲＮＴＩを決定し、制御シグナリングを解析することによって第１のページングメッセージのためのページングチャネルを決定し、ページングチャネルに応じて、基地局によって送信された第１のページングメッセージを検出する。
【０１４０】
本発明の本実施形態では、任意選択で、基地局によって送信された第１のページングメッセージを第２のユーザ機器によって検出することは、
基地局によって送信された第１のページングメッセージを第２のユーザ機器によって検出することであって、第１のページングメッセージは、第２のユーザ機器のデバイス情報、または第２のユーザ機器を示すために使用される第４のインジケーション情報を含む、検出すること
を含む。
【０１４１】
任意選択で、本発明の本実施形態では、第１のページングメッセージに応じて第２のリソース上で発見信号を第２のユーザ機器によって送信することは、
第２のユーザ機器が、第１のページングメッセージに含まれるデバイス情報が第２のユーザ機器のデバイス情報を含むまたは第４のインジケーション情報が第２のユーザ機器を示すことを決定するとき、第２のリソース上で発見信号を送信すること
を含む。
【０１４２】
デバイス情報は、具体的には、ユーザ機器の識別情報、ユーザ機器のグループ識別情報、ユーザ機器種類情報、ユーザ機器サービス種類などである。あるいは、第１のページングメッセージは、前述のデバイス情報を直接的に含まないが、前述のデバイス情報を間接的に示す第４のインジケーション情報を含む。第４のインジケーション情報は、たとえば、独立変数が前述のデバイス情報であるハッシュ関数であるか、または第２のユーザ機器を示す他の情報である。第１のページングメッセージは、国際移動体加入者識別番号（Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ  Ｎｕｍｂｅｒ、略して「ＩＭＳＩ」）、一時的モバイル加入者識別情報（Ｔｅｍｐｏｒａｒｙ  Ｍｏｂｉｌｅ  Ｓｕｂｓｃｒｉｂｅｒ  Ｉｄｅｎｔｉｔｙ、略して「ＴＭＳＩ」）などをさらに含む。
【０１４３】
本発明の本実施形態では、第２のユーザ機器は、検出された第１のページングメッセージに含まれるデバイス情報または第４のインジケーション情報に応じて、発見信号が第２のリソース上で送信される必要があるかどうかを決定し、第２のユーザ機器が、第１のページングメッセージに含まれるデバイス情報が第２のユーザ機器のデバイス情報を含むまたは第４のインジケーション情報が第２のユーザ機器を示すことを決定したとき、第２のリソース上で発見信号を送信する。たとえば、第２のユーザ機器は、第１のページングメッセージに含まれる１または複数のユーザ機器の識別情報を第２のユーザ機器の識別情報と比較し、第１のページングメッセージに含まれる識別情報が第２のユーザ機器の識別情報を含む場合、第２のユーザ機器が、第２のリソース上で発見信号を送信することを決定する。あるいは、第２のユーザ機器は、第１のページングメッセージに含まれる１または複数のユーザ機器種類情報を第２のユーザ機器のデバイス種類と比較し、第１のページングメッセージに含まれるデバイス種類が第２のユーザ機器のデバイス種類を含むとき、第２のユーザ機器は、第２のリソース上で発見信号を送信することを決定する。あるいは、第２のユーザ機器は、第１のページングメッセージに含まれる他のデバイス情報、またはデバイス情報の第４のインジケーション情報に応じて、発見信号を送信するかどうかを決定する。第２のユーザ機器は、基地局がページングする必要があるユーザ機器が第２のユーザ機器を含むことを決定し、次いで、第２のユーザ機器は、第２のリソース上で発見信号を送信する。
【０１４４】
Ｓ２３０において、第２のユーザ機器は、第２のリソース上で発見信号を送信する。任意選択で、第２のユーザ機器はまた、本発明の本実施形態では制限されない第２のリソースの任意の部分上で発見信号を送信することを選ぶ。
【０１４５】
したがって、本発明の本実施形態における発見信号伝送方法によれば、第２のユーザ機器は、基地局によって送信された第１のページングメッセージに応じて、基地局によって割り当てられた第２のリソース上で発見信号を送信し、このことが、第２のユーザ機器が、システムによって予約されたリソース上で発見信号を定期的に送信するのを防止させ、発見信号を検出する効率に影響を与えることなく、発見信号を送信するために第２のユーザ機器によって消費されるエネルギーを効果的に減少させ、ユーザエクスペリエンスを改善することができる。
【０１４６】
本発明の実施形態による発見信号伝送方法は、発見信号を検出する第１のユーザ機器の観点から、および発見信号を送信する第２のユーザ機器の観点から、図１ないし図３を参照しながら上記で詳細に説明されている。以下は、図４および図５を参照して、基地局の観点から、本発明の一実施形態による発見信号伝送方法３００を説明する。
【０１４７】
図４に示されるように、本発明の本実施形態による発見信号伝送方法３００は、たとえば、基地局によって実行され、方法３００は、以下のステップを含む。
【０１４８】
Ｓ３１０。基地局が、発見信号を送信するために使用される第２のリソースを決定する。
【０１４９】
Ｓ３２０。基地局が、第１のページングメッセージを第２のユーザ機器に送信し、この第１のページングメッセージは、第２のリソース上で発見信号を送信するように第２のユーザ機器に指示するために使用される。
【０１５０】
基地局は、第１のページングメッセージを送信することによって、第２のユーザ機器をトリガして第２のリソース上での発見信号を送信させ、第２のリソースは、時間リソースもしくは周波数リソースまたは時間リソースおよび周波数リソースである。
【０１５１】
したがって、本発明の本実施形態における発見信号伝送方法によれば、基地局は、ユーザ機器をトリガして、一時的に割り当てられたリソース上で発見信号を送信させ、このことは、ユーザ機器が、システムによって予約されたリソース上で発見信号を定期的に送信するのを防止し、発見信号を検出する効率に影響を与えることなく、発見信号を送信するためにユーザ機器によって消費されるエネルギーを効果的に減少させ、ユーザエクスペリエンスを改善することができる。
【０１５２】
Ｓ３１０において、基地局は、発見信号を送信するために使用される第２のリソースを決定する。本発明の本実施形態では、基地局は、第２のユーザ機器をトリガして、一時的に割り当てられた第２のリソース上で発見信号を送信させ、第２のリソースは、システムにより定義されたリソースの一部分であることが理解されるべきである。たとえば、システムにより定義されたリソースが１日（２４時間）である、すなわち、発見信号を検出するユーザ機器が、２４時間以内に発見信号検出を常に（任意の可能な期間内に）実行すると仮定される。基地局によって割り当てられ、発見信号を送信するために使用される第２のリソースは１０：００ないし１２：００の時間リソースであり、すなわち、第２のユーザ機器は、１０：００ないし１２：００の時間期間以内に発見信号を送信し、第２のユーザ機器によって送信された発見信号が、１０：００ないし１２：００の時間期間以内に発見信号を検出するユーザ機器によって検出され、したがって、発見信号を検出するユーザ機器が第２のユーザ機器を発見する。あるいは、システムにより定義されたリソースは、０、１、２、および３と番号が付けられた４つのチャネルを含む周波数リソースであると仮定される。すなわち、発見信号を定期的に検出するユーザ機器が、０、１、２、および３と番号が付けられた４つのチャネル上で発見信号検出を実行し、基地局によって割り当てられ、発見信号を送信するために使用される第２のリソースは、２と番号が付けられたチャネルおよび３と番号が付けられたチャネルを示す周波数リソースであり、すなわち、第２のユーザ機器が、２と番号が付けられたチャネルおよび３と番号が付けられたチャネル上で発見信号を送信する。したがって、発見信号が、第２のユーザ機器を発見するように、発見信号を検出するユーザ機器によって、２と番号が付けられたチャネルおよび３と番号が付けられたチャネル上で検出される。
【０１５３】
本発明の本実施形態では、発見信号を継続的かつ定期的に送信する解決策が破棄され、基地局は、任意の時間に第２のユーザ機器をトリガして特定のリソース上で発見信号を送信させることを実施し、発見信号を送信するためにユーザ機器によって消費されるエネルギーを発見信号伝送中に効果的に減少させることおよび発見信号伝送の柔軟性を改善することを実施し、ユーザエクスペリエンスをさらに効果的に改善するように、発見信号を送信するために使用される第２のリソースを第２のユーザ機器に一時的に割り当てる。
【０１５４】
Ｓ３２０において、基地局は第２のユーザ機器に第１のページングメッセージを送信し、基地局は、第１のページングメッセージ内で第２のリソースの時間リソースおよび／または周波数リソースを示し、したがって、第２のユーザ機器は、検出された第１のページングメッセージに応じて第２のリソースを決定し、第２のリソース上で発見信号を送信する。具体的には、第１のページングメッセージによって第２のリソースを示す手法は、明示的ベアラ手法と暗黙的ベアラ手法に分類される。明示的ベアラ手法および暗黙的ベアラ手法は、上記で詳細に説明されており、詳細は、本明細書で再度説明されない。
【０１５５】
任意選択で、本発明の本実施形態では、第２のユーザ機器に第１のページングメッセージを基地局によって送信することは、
基地局は、第２のユーザ機器に第１のページングメッセージを送信することであって、第１のページングメッセージは、第２のリソースの時間情報および／または周波数情報を含み、または、第１のページングメッセージは、第２のリソースの時間情報および／または周波数情報を示すために使用される第３のインジケーション情報を含む、送信すること
を含む。
【０１５６】
任意選択で、本発明の本実施形態では、第２のユーザ機器に第１のページングメッセージを基地局によって送信することは、
第２のベアラリソース上で第１のページングメッセージを基地局によって第２のユーザ機器に送信し、したがって、第２のユーザ機器は、第２のベアラリソースおよび第２のマッピング情報に応じて、発見情報を送信するために使用される第２のリソースを決定することであって、第２のマッピング情報は、第２のベアラリソースと第２のリソースとの間のあらかじめ設定されたマッピング関係である、送信すること
を含む。
【０１５７】
第２のベアラリソースは、第１のページングメッセージを運ぶ時間リソースもしくは周波数リソースまたは時間リソースおよび周波数リソースであることが理解されるべきである。第２のマッピング情報は、システムによってあらかじめ設定された、第１のページングメッセージを運ぶ第２のベアラリソースと発見信号を検出するために使用される第２のリソースとの間のマッピング関係である。たとえば、第２のベアラリソースがリソースＥであるとき、対応するリソースＥ＋Ｎ１が第２のリソースである。第２のベアラリソースがリソースＦであるとき、対応するリソースＦ＋Ｎ２が第２のリソースである。すなわち、第２のユーザ機器が、基地局によって送信された第１のページングメッセージに応じて、第１のページングメッセージを運ぶ第２のベアラリソースを決定した後、第２のユーザ機器は、あらかじめ設定された第２のマッピング情報に応じて、発見信号を検出するために使用される第２のリソースを決定する。第２のマッピング情報は、第２のベアラリソースと第２のリソースとの間にあり、システムによってあらかじめ設定されるまたはシステムによって一時的に配信されるシグナリングによって示されるマッピング関係であり、これは、本発明では制限されないことも理解されるべきである。
【０１５８】
基地局によって第２のユーザ機器に送信された第１のページングメッセージは、第２のリソース上で発見信号を直接的に送信するように第２のユーザ機器に指示し、または、第２のリソース上でランダムに選択された子リソースの任意のセグメント上で発見信号を送信するように第２のユーザ機器に指示し、第２のリソースは、任意の手法でユーザ機器に割り当てられ、または、ユーザ機器は、任意の手法で第２のリソースを得ようと互いに競い合い、これは、本発明の本実施形態では制限されないことも理解されるべきである。
【０１５９】
本発明の本実施形態では、基地局は、第２のユーザ機器に第１のページングメッセージを送信する。第１のページングメッセージが、第２のユーザ機器をトリガして発見信号を送信させるとき、基地局は、第１のユーザ機器に第１のメッセージをさらに送信し、第１のメッセージは、第１のユーザ機器をトリガして、第２のユーザ機器によって送信された発見信号を検出させる。本発明の本実施形態では、基地局は、対応するユーザ機器をトリガして、特定のリソース上で発見信号を検出させる。
【０１６０】
任意選択で、図５に示されるように、本発明の本実施形態では、方法３００は、以下のステップをさらに含む。
【０１６１】
Ｓ３３０。基地局が、発見信号を検出するために使用される第１のリソースを決定し、第１のリソースおよび第２のリソースは、時間リソースまたは周波数リソースの少なくとも同じパートを有する。
【０１６２】
Ｓ３４０。基地局が、第１のメッセージを第１のユーザ機器に送信し、この第１のメッセージは、第１のリソース上で発見信号を検出するように第１のユーザ機器に指示するために使用される。
【０１６３】
基地局によって第１のユーザ機器に送信された第１のメッセージは、第１のリソース上で発見信号を直接的に検出するように第１のユーザ機器に指示し、または、第１のリソース上でランダムに選択された子リソースの任意のセグメント上で発見信号を検出するように第１のユーザ機器に指示し、これは、本発明の本実施形態では制限されないことも理解されるべきである。
【０１６４】
Ｓ３３０において、基地局は、発見信号を検出するために使用される第１のリソースを決定し、第１のリソースおよび第２のリソースは、時間リソースまたは周波数リソースの少なくとも同じパートを有する。
【０１６５】
第１のリソースおよび第２のリソースは、以下の３つの特定の場合に、時間リソースまたは周波数リソースの少なくとも同じパートを有する。（１）第１のリソースおよび第２のリソースが、いくつかの同じ時間リソースまたは周波数リソースを有する。たとえば、第１のリソースの時間リソースが２：００ないし１０：００であり、第２のリソースの時間リソースが８：００ないし１２：００であり、第１のリソースの周波数リソースがチャネル０、１、２、および３であり、第２のリソースの周波数リソースがチャネル３および４である場合、第２のユーザ機器によって送信された発見信号は、８：００ないし１０：００の時間リソースおよびチャネル３の周波数リソース上で第１のユーザ機器によって検出される。（２）第１のリソースおよび第２のリソースが、完全に同じ時間リソースまたは周波数リソースを有する。たとえば、第１のリソースの時間リソースと第２のリソースの時間リソースの両方が２：００ないし１０：００であり、第１のリソースの周波数リソースと第２のリソースの周波数リソースの両方がチャネル０、１、２、および３である場合、第２のユーザ機器によって送信された検出信号は、第１のリソース上で第１のユーザ機器によって検出される。（３）第１のリソースの時間リソースが第２のリソースの時間リソースを含み、第１のリソースの周波数リソースが第２のリソースの周波数リソースを含む。たとえば、第１のリソースの時間リソースが２：００ないし１０：００であり、第２のリソースの時間リソースが８：００ないし９：００であり、第１のリソースの周波数リソースがチャネル０、１、２、および３であり、第２のリソースの周波数リソースがチャネル１およびチャネル３である場合、第２のリソース上で第２のユーザ機器によって送信された発見信号は、第１のリソース上で第１のユーザ機器によって検出される。
【０１６６】
第１のリソースおよび第２のリソースは、時間リソースまたは周波数リソースの少なくとも同じパートを有し、このことは、第１のユーザ機器が、第１のリソース上で検出発見信号を実行するとき、第１のリソースの少なくとも一部で発見信号を検出することができることを保証することができる。
【０１６７】
任意選択で、本発明の本実施形態では、第１のリソースの時間リソースが第２のリソースの時間リソースを含み、第１のリソースの周波数リソースが第２のリソースの周波数リソースを含む。
【０１６８】
本発明の本実施形態では、第１のリソースの時間リソースが第２のリソースの時間リソースを含み、第１のリソースの周波数リソースが第２のリソースの周波数リソースを含み、このことは、第２のユーザ機器によって送信された発見信号が第１のユーザ機器によって検出されることを十分に保証し、発見信号を検出する効率を効果的に改善し、発見信号を送信するためにユーザ機器によって消費されるエネルギーを減少させ、ユーザエクスペリエンスを効果的に改善することができる。
【０１６９】
したがって、本発明の本実施形態では発見信号伝送方法によれば、基地局は、ユーザ機器をトリガし、一時的に割り当てられたリソース上で発見信号を送信させ、このことが、ユーザ機器が、システムによって予約されたリソース上で発見信号を定期的に送信するのを防止し、発見信号を検出する効率に影響を与えることなく、発見信号を送信するためにユーザ機器によって消費されるエネルギーを効果的に減少させ、ユーザエクスペリエンスを改善することができる。
【０１７０】
Ｓ３４０において、基地局が、第１のメッセージを第１のユーザ機器に送信し、第１のメッセージは、第１のリソース上で発見信号を検出するように第１のユーザ機器に指示するために使用される。
【０１７１】
同様に、基地局はまた、第１のユーザ機器に送信される第１のメッセージ内で、発見信号を検出するために使用される第１のリソースの時間情報および／または周波数情報を示し、したがって、第１のユーザ機器は、第１のメッセージに応じて第１のリソースを決定して、第１のリソース上で発見信号を検出することができる。具体的には、第１のメッセージによって第１のリソースを示す手法はまた、明示的ベアラ手法および暗黙的ベアラ手法に分類され、特定の手法は、第１のページングメッセージが第２のリソースを運ぶ手法と一致する。簡潔のために、詳細は、本明細書では再度説明されない。
【０１７２】
任意選択で、本発明の本実施形態では、第１のユーザ機器に第１のメッセージを基地局によって送信することは、
第１のメッセージを基地局によって第１のユーザ機器に送信することであって、第１のメッセージは第１のリソースの時間情報および／または周波数情報を含み、または第１のメッセージは、第１のリソースの時間情報および／または周波数情報を示すために使用される第２のインジケーション情報を含む、送信すること
を含む。
【０１７３】
任意選択で、本発明の本実施形態では、第１のユーザ機器に第１のメッセージを基地局によって送信することは、
第１のベアラリソース上で第１のメッセージを基地局によって第１のユーザ機器に送信し、したがって、この第１のユーザ機器は、第１のベアラリソースおよび第１のマッピング情報に応じて第１のリソースを決定する、ことであって、この第１のマッピング情報は、第１のベアラリソースと第１のリソースとの間のあらかじめ設定されたマッピング関係である、送信すること
を含む。
【０１７４】
第１のベアラリソースは、第１のメッセージを運ぶ時間リソースもしくは周波数リソースまたは時間リソースおよび周波数リソースであることが理解されるべきである。第１のマッピング情報は、システムによってあらかじめ設定された、第１のメッセージを運ぶ第１のベアラリソースと発見信号を検出するために使用される第１のリソースとの間のマッピング関係である。たとえば、第１のベアラリソースがリソースＥであるとき、対応するリソースＥ＋Ｎ１が第１のリソースである。第１のベアラリソースがリソースＦであるとき、対応するリソースＦ＋Ｎ２が第１のリソースである。すなわち、第１のユーザ機器が、基地局によって送信された第１のメッセージに応じて、第１のメッセージを運ぶ第１のベアラリソースを決定した後、第１のユーザ機器は、あらかじめ設定された第１のマッピング情報に応じて、発見信号を検出するために使用される第１のリソースを決定する。第１のマッピング情報は、第１のベアラリソースと第１のリソースとの間にあり、システムによってあらかじめ設定されるまたはシステムによって一時的に配信されるシグナリングによって示されるマッピング関係であり、これは、本発明では制限されないことも理解されるべきである。
【０１７５】
Ｓ３２０において、基地局は、第２のユーザ機器に第１のページングメッセージを送信して、発見信号を送信することをトリガする。Ｓ３４０において、基地局は、第１のユーザ機器に第１のメッセージを送信して、発見信号検出をトリガする。基地局は、システムの要件に応じて、Ｓ３２０およびＳ３４０において行動を柔軟に実行する。たとえば、発見信号を送信することまたは発見信号検出は、システムによってあらかじめ設定された期間に応じてトリガされる。たとえば、トリガすることは、１．２８秒を１つの期間として使用することによって実行される。あるいは、発見信号を送信することまたは発見信号検出は、システムの要件またはユーザ機器の要求に応じて一時的にトリガされる。
【０１７６】
任意選択で、本発明の本実施形態では、方法３００は、
第１のユーザ機器によって送信された要求メッセージを基地局によって受信することであって、この要求メッセージは、第２のユーザ機器をトリガして発見信号を送信させるように基地局に要求するために使用され、この要求メッセージは、第２のユーザ機器のデバイス情報、または第２のユーザ機器を示すために使用される第１のインジケーション情報を含む、受信すること
をさらに含み、
第１のページングメッセージを基地局によって第２のユーザ機器に送信することは、
要求メッセージに応じて第１のページングメッセージを基地局によって第２のユーザ機器に送信すること
を含み、
第１のメッセージを基地局によって第１のユーザ機器に送信することは、
要求メッセージに応じて第１のメッセージを基地局によって第１のユーザ機器に送信すること
を含む。
【０１７７】
具体的には、図１に示されるように、（１）第１のユーザ機器が基地局に要求メッセージを送信し、この要求メッセージは、第２のユーザ機器をトリガして発見信号を送信させるように基地局に要求するために使用され、（２ａ）要求メッセージを受信した後、基地局が、第２のユーザ機器に第１のページングメッセージを送信し、この第１のページングメッセージは、発見信号を送信するために使用される第２のリソースを示す、すなわち、第１のページングメッセージは、第２のリソース上で発見信号を送信するように第２のユーザ機器に指示し、（２ｂ）基地局が第１のユーザ機器に第１のメッセージを送信し、この第１のメッセージは、発見信号を検出するために使用される第１のリソースを示す、すなわち、第１のリソース上で発見信号を検出するように第１のユーザ機器に指示し、第１のリソースおよび第２のリソースは、時間リソースおよび／または周波数リソースの少なくとも同じパートを有し、（３ａ）基地局によって配信された第１のページングメッセージが検出された後、第２のユーザ機器が第２のリソース上で発見信号を送信し、（３ｂ）基地局によって配信された第１のメッセージを受信した後、第１のユーザ機器が第１のリソース上で発見信号を検出する。
【０１７８】
ステップ（２ａ）と（２ｂ）との間のシーケンスに関する制限が存在しないことが理解されるべきである。
【０１７９】
要求メッセージは、第２のユーザ機器をトリガして発見信号を送信させるように基地局に要求ために使用され、要求メッセージは、第２のユーザ機器のデバイス情報、または第２のユーザ機器を示すために使用される第１のインジケーション情報を含む。具体的には、デバイス情報は、ユーザ機器の識別情報、ユーザ機器のグループ識別情報、ユーザ機器種類情報（ノートブックコンピュータなど）、またはユーザ機器サービス種類を含む。あるいは、要求メッセージは、前述のデバイス情報を直接的に含まないが、前述のデバイス情報を間接的に示す第１のインジケーション情報を含む。第１のインジケーション情報は、たとえば、独立変数が前述のデバイス情報であるハッシュ関数であるか、または第２のユーザ機器を示す他の情報である。第１のユーザ機器によって送信される要求メッセージは、国際移動体加入者識別番号（Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ  Ｎｕｍｂｅｒ、略して「ＩＭＳＩ」）、一時的モバイル加入者識別情報（Ｔｅｍｐｏｒａｒｙ  Ｍｏｂｉｌｅ  Ｓｕｂｓｃｒｉｂｅｒ  Ｉｄｅｎｔｉｔｙ、略して「ＴＭＳＩ」）などをさらに含む。
【０１８０】
基地局が、ブロードキャスト形式で第１のページングメッセージおよび第１のメッセージを送信する、またはポイントツーポイント形式で特定のユーザ機器に第１のページングメッセージおよび第１のメッセージを送信することも理解されるべきである。具体的には、基地局は、ブロードキャスト形式で第１のメッセージを送信し、したがって、基地局のサービスエリア内のすべての複数のユーザ機器またはユーザ機器グループは、第１のメッセージを検出して第１のリソース上で発見信号を検出することができ、または、第１のリソース上で発見信号を検出するように第１のユーザ機器に指示するように、要求メッセージを開始する第１のユーザ機器に第１のメッセージのみを送信する。さらに、基地局は、ブロードキャスト形式で第１のページングメッセージを送信し、したがって、基地局のサービスエリア内のすべての複数のユーザ機器またはユーザ機器グループは、第１のページングメッセージを検出することができ、またはポイントツーポイント形式で特定のユーザ機器に第１のページングメッセージを送信する。
【０１８１】
任意選択で、本発明の本実施形態では、第２のユーザ機器に第１のページングメッセージを基地局によって送信することは、
第１のページングメッセージを基地局によって第２のユーザ機器に送信することであって、第１のページングメッセージは、第２のユーザ機器のデバイス情報、または第２のユーザ機器を示すために使用される第４のインジケーション情報を含み、したがって、第２のユーザ機器は、デバイス情報または第４のインジケーション情報に応じて、第２のリソース上で発見信号を送信するかどうかを決定する、送信すること
を含む。
【０１８２】
基地局は、第１のユーザ機器の要求メッセージに含まれるデバイス情報または第１のインジケーション情報に応じて、第１のページングメッセージに含まれるデバイス情報および第４のインジケーション情報を個別に決定する、すなわち、基地局は、第１のページングメッセージを送信することによって、第１のユーザ機器の要求メッセージにおける内容を第２のユーザ機器に送信することが理解されるべきである。
【０１８３】
Ｓ３２０において、基地局は、第２のユーザ機器に第１のページングメッセージを送信する。具体的には、基地局は、第２のユーザ機器のデバイス情報に応じて、第１のページングメッセージを送信する時間を決定する、または、基地局によって送信されたページングメッセージをアイドルモードの第２のユーザ機器が検出する時間に応じて、第１のページングメッセージを送信する送信時間を決定する。
【０１８４】
任意選択で、本発明の本実施形態では、第２のユーザ機器に第１のページングメッセージを基地局によって送信することは、
第２のユーザ機器のデバイス情報に応じて第１の送信時間を基地局によって決定することと、
この第１の送信時間に応じて第１のページングメッセージを基地局によって第２のユーザ機器に送信することと
を含む。
【０１８５】
具体的には、第１の送信時間は、第２のユーザ機器のデバイス情報に応じて決定され、第２のユーザ機器のデバイス情報は、ユーザ機器の識別情報、ユーザ機器のグループ識別情報、ユーザ機器種類情報、ユーザ機器サービス種類情報などを含む。第２のユーザ機器は、デバイス情報に応じて第１の検出時間を決定する。たとえば、第２のユーザ機器のデバイス情報がユーザ機器の識別子である場合、第１の検出時間Ｔは、関数モデルＴ＝ｍｏｄ（ＩＤ，Ｍ）を使用することによって決定され、Ｍは１ページング期間に含まれるタイムスロットの総量である。たとえば、１０２４のデータフレームが１ページング期間に含まれる場合、Ｍは１０２４である。ユーザ機器のＩＤが３６３３であるという仮定の下で、第１の検出時間Ｔはｍｏｄ（３６３３，１０２４）であり、すなわち、第１の検出時間は、１０２４のデータフレームの各期間における５６１番目のデータフレームである。関数モデルｍｏｄ（）は、ユーザ機器の識別子と、１ページング期間に含まれるタイムスロットの総量と、第１の検出時間Ｔとの間の関係の経験的モデルであることが理解されるべきである。
【０１８６】
基地局によって第２のユーザ機器に送信された第１のページングメッセージは、特殊なページングメッセージとみなされ、第１のページングメッセージは、第２のリソース上で発見信号を送信するように第２のユーザ機器に指示するために使用され、基地局は、第２のユーザ機器がアイドルモードであるときに第２のユーザ機器にページングメッセージを送信する時間に応じて、第１のページングメッセージを送信する時間を決定することに留意されたい。
【０１８７】
任意選択で、本発明の本実施形態では、第２のユーザ機器に第１のページングメッセージを基地局によって送信することは、
基地局によって送信された第２のページングメッセージを第２のユーザ機器が検出する時間に応じて、第２の検出時間を基地局によって決定することであって、第２の検出時間、および第２のユーザ機器が第２のページングメッセージを検出する時間が同じである、または所定の時間オフセットによって分離される、決定することと、
第２の送信時間に応じて第１のページングメッセージを基地局によって第２のユーザ機器に送信することと
を含む。
【０１８８】
第２のページングメッセージは、第２のユーザ機器がアイドルモードであるとき、第２のユーザ機器に基地局によって送信されたページングメッセージである。第２のページングメッセージは、システムメッセージ変更を示すために使用されるか、または、第２のページングメッセージは、アイドルモードから接続モード（たとえば、通話がきた）に切り換えるようにユーザ機器に指示するために使用される。ユーザ機器が第２のページングメッセージを受信する期間はシステムによって設定され、異なるユーザ機器は、０．３２秒、０．６４秒、１．２８秒、および２．５６秒などの異なるページング期間に設定される。ユーザ機器のページング期間が２．５６秒に設定される場合、２．５６秒の期間内で、ユーザ機器は、ページングメッセージ検出を１回実行する。
【０１８９】
本発明の本実施形態では、具体的には、たとえば、第２のユーザ機器が第２のページングメッセージを検出する期間は０．３２秒であり、基地局は、第２の送信時間も０．３２秒と決定する、すなわち、基地局は、第１のページングメッセージを０．３２秒に１回送信する。または、基地局は、第２の送信時間を０．３２＋ΔＴ秒と決定する、すなわち、基地局は、第１のページングメッセージを０．３２＋ΔＴ秒に１回フォーマットする。
【０１９０】
基地局によって第１のページングメッセージを送信する送信時間は、第２のユーザ機器によって第１のページングメッセージを検出する検出時間と一致し、第１のページングメッセージを送信する送信時間を基地局によって決定するための方法は、システムによってあらかじめ設定された情報またはシステムによって配信されるシグナリングに応じて決定されることが理解されるべきである。要約すれば、基地局によって第１のページングメッセージを送信する送信時間が、第２のユーザ機器によって第１のページングメッセージを検出する検出時間と一致することのみ保証する必要がある。
【０１９１】
基地局は、第１の送信時間または第２の送信時間に応じて第２のユーザ機器に第１のページングメッセージを送信し、または、基地局が、時間の期間内に第１のページングメッセージを継続的に送信し、したがって、第２のユーザ機器が第１のページングメッセージを検出する。
【０１９２】
したがって、本発明の本実施形態では発見信号伝送方法によれば、基地局は、ユーザ機器をトリガし、一時的に割り当てられたリソース上で発見信号を送信させ、このことが、ユーザ機器が、システムによって予約されたリソース上で発見信号を定期的に送信するのを防止し、発見信号を検出する効率に影響を与えることなく、発見信号を送信するためにユーザ機器によって消費されるエネルギーを効果的に減少させ、ユーザエクスペリエンスを改善することができる。
【０１９３】
第２のユーザ機器に送信された第１のページングメッセージに加えて、基地局は、第１のページングメッセージに対応する制御シグナリングも送信し、この制御シグナリングは、第１のページングメッセージが置かれるページングチャネルを示すために使用され、基地局は、制御シグナリング上でスクランブリングを実行し、次いで、制御シグナリングを送信する。
【０１９４】
任意選択で、本発明の本実施形態では、第２のユーザ機器に第１のページングメッセージを基地局によって送信することは、
発見信号ページングメッセージ無線ネットワーク一時識別子（Ｄ−Ｐ−ＲＮＴＩ）またはページングメッセージ無線ネットワーク一時識別子（Ｐ−ＲＮＴＩ）に応じて、制御シグナリング上でスクランブリングを基地局によって実行することと、
制御シグナリングを基地局によって第２のユーザ機器に送信し、ページングチャネル上で第２のユーザ機器に第１のページングメッセージを送信することと
を含む。
【０１９５】
基地局は、制御シグナリングおよび第１のページングメッセージを一緒に第２のユーザ機器に送信する。
【０１９６】
基地局は、発見信号ページングメッセージ無線ネットワーク一時識別子（Ｄｉｓｃｏｖｅｒｙ−Ｐａｇｉｎｇ−Ｒａｄｉｏ  Ｎｅｔｗｏｒｋ  Ｔｅｍｐｏｒａｒｙ  Ｉｄｅｎｔｉｆｉｅｒ、略して「Ｄ−Ｐ−ＲＮＴＩ」）を使用することによって、制御シグナリング上でスクランブリングを実行するか、または、ページングメッセージ無線ネットワーク一時識別子（Ｐａｇｉｎｇ−Ｒａｄｉｏ  Ｎｅｔｗｏｒｋ  Ｔｅｍｐｏｒａｒｙ  Ｉｄｅｎｔｉｆｉｅｒ、略して「Ｐ−ＲＮＴＩ」）を使用することによって、制御シグナリング上でスクランブリングを実行する。しかしながら、この場合、制御シグナリングが第１のページングメッセージを示すために使用されるインジケーションメッセージを含む必要がある、または第１のページングメッセージが明示的ベアラ手法で第２のリソースを運ぶ、または第１のページングメッセージが、デバイス情報もしくはデバイス情報を示すために使用されるインジケーション情報を含む。
【０１９７】
したがって、本発明の本実施形態では発見信号伝送方法によれば、基地局は、ユーザ機器をトリガし、一時的に割り当てられたリソース上で発見信号を送信させ、このことが、ユーザ機器が、システムによって予約されたリソース上で発見信号を定期的に送信するのを防止し、発見信号を検出する効率に影響を与えることなく、発見信号を送信するためにユーザ機器によって消費されるエネルギーを効果的に減少させ、ユーザエクスペリエンスを改善することができる。
【０１９８】
本発明の実施形態による発見信号伝送方法は、図１ないし図５を参照しながら上記で詳細に説明されている。以下は、図６ないし図８を参照して、本発明の実施形態によるユーザ機器および基地局を詳細に説明する。
【０１９９】
図６は、本発明の一実施形態によるユーザ機器４００の概略ブロック図を示す。ユーザ機器４００は、たとえば、発見信号を検出し、図１に示される第１のユーザ機器であり、図６に示されるように、ユーザ機器４００は、
基地局によって送信された第１のメッセージを受信するように構成された受信モジュール４１０であって、この第１のメッセージは、第１のリソース上の発見信号を検出するように第１のユーザ機器に指示する、受信モジュール４１０と、
受信モジュール４１０によって受信された第１のメッセージに応じて第１のリソースを決定するように構成された決定モジュール４２０と、
決定モジュール４２０によって決定された第１のリソース上の発見信号を検出するように構成された検出モジュール４３０と
を含む。
【０２００】
したがって、本発明の本実施形態は、基地局によって送信された第１のメッセージに応じて、基地局によって割り当てられた第１のリソース上で発見信号を検出するユーザ機器４００を提供し、これは、システムによって予約されたリソース上で発見信号を定期的に検出することを回避し、発見信号検出中にユーザ機器４００によって消費されるエネルギーを効果的に減少させ、ユーザエクスペリエンスを効果的に改善することができる。
【０２０１】
任意選択で、本発明の本実施形態では、ユーザ機器４００は、
基地局に要求メッセージを送信するように構成された送信モジュール４４０であって、この要求メッセージは、第２のユーザ機器をトリガして発見信号を送信させるように基地局に要求するために使用され、この要求メッセージは、第２のユーザ機器のデバイス情報、または第２のユーザ機器を示すために使用される第１のインジケーション情報を含む、送信モジュール４４０
をさらに含む。
【０２０２】
任意選択で、本発明の本実施形態では、決定モジュール４２０は、第１のメッセージに含まれる第１のリソースの時間情報および／または周波数情報に応じて第１のリソースを決定するようにさらに構成される。
【０２０３】
任意選択で、本発明の本実施形態では、決定モジュール４２０は、第１のリソースの時間情報および／または周波数情報を示すために使用され、第１のメッセージに含まれる第２のインジケーション情報に応じて、第１のリソースを決定するようにさらに構成される。
【０２０４】
任意選択で、本発明の本実施形態では、決定モジュール４２０は、
第１のメッセージを運ぶ第１のベアラリソースを決定するように構成された第１の決定ユニットと、
第１の決定ユニットによって決定された第１のベアラリソースおよび第１のマッピング情報に応じて第１のリソースを決定するように構成された第２の決定ユニットであって、この第１のマッピング情報は、第１のベアラリソースと第１のリソースとの間のあらかじめ設定されたマッピング関係である、第２の決定ユニットと
をさらに含む。
【０２０５】
任意選択で、本発明の本実施形態では、受信ユニット４１０によって受信される第１のメッセージに含まれる第１のリソース、および基地局によって決定され、発見信号を送信するために使用される第２のリソースは、時間リソースおよび／または周波数リソースの少なくとも同じパートを有する。
【０２０６】
本発明の本実施形態によるユーザ機器４００は、本発明の実施形態による発見信号伝送方法において第１のユーザ機器に対応しており、ユーザ機器４００内のモジュールの前述および他の動作および／または関数はそれぞれ、図１ないし図５における方法の対応する手順を実施するために使用されることが理解されるべきである。簡潔のために、詳細は、本明細書では再度説明されない。
【０２０７】
本発明の実施形態によるユーザ機器４００は、図６を参照して上記で詳細に説明される。以下は、図７を参照して、本発明の一実施形態によるユーザ機器５００を詳細に説明する。
【０２０８】
図７は、本発明の本実施形態によるユーザ機器５００の概略ブロック図を示す。ユーザ機器５００は、たとえば、発見信号を送信し、図１に示される第２のユーザ機器であり、図７に示されるように、ユーザ機器５００は、
基地局によって送信された第１のページングメッセージを検出するように構成された検出モジュール５１０であって、この第１のページングメッセージは、第２のリソース上で発見信号を送信するように第２のユーザ機器に指示する、検出モジュール５１０と、
検出モジュール５１０によって検出された第１のページングメッセージに応じて第２のリソースを決定するように構成された決定モジュール５２０と、
決定モジュール５２０によって決定された第２のリソース上で発見信号を送信するように構成された送信モジュール５３０と
を含む。
【０２０９】
したがって、本発明の本実施形態で提供されるユーザ機器５００は、基地局によって送信された第１のページングメッセージに応じて、基地局によって割り当てられた第２のリソース上で発見信号を送信し、このことが、ユーザ機器５００が、システムによって予約されたリソース上で発見信号を定期的に送信するのを防止し、発見信号を検出する効率に影響を与えることなく、発見信号を送信するためにユーザ機器５００によって消費されるエネルギーを効果的に減少させ、ユーザエクスペリエンスを改善することができる。
【０２１０】
任意選択で、本発明の本実施形態では、検出モジュール５１０は、第１のユーザ機器によって送信された要求メッセージに応じて、基地局によって送信された第１のページングメッセージを検出するようにさらに構成される。
【０２１１】
任意選択で、本発明の本実施形態では、決定モジュール５２０は、検出モジュール５１０によって検出された第１のページングメッセージに含まれる第２のリソースの時間情報および／または周波数情報に応じて第２のリソースを決定するようにさらに構成される。
【０２１２】
任意選択で、本発明の本実施形態では、決定モジュール５２０は、第２のリソースの時間情報および／または周波数情報を示すために使用され、検出モジュール５１０によって検出された第１のページングメッセージに含まれる第３のインジケーション情報に応じて、第２のリソースを決定するようにさらに構成される。
【０２１３】
任意選択で、本発明の本実施形態では、決定モジュール５２０は、
検出モジュール５１０によって検出された第１のページングメッセージを運ぶ第２のベアラリソースを決定するように構成された第１の決定ユニットと、
この第１の決定ユニットによって決定された第２のベアラリソースおよび第２のマッピング情報に応じて第２のリソースを決定するように構成された第２の決定ユニットであって、この第２のマッピング情報は、第２のベアラリソースと第２のリソースとの間のあらかじめ設定されたマッピング関係である、第２の決定ユニットと
をさらに含む。
【０２１４】
任意選択で、本発明の本実施形態では、検出モジュール５１０は、
ユーザ機器５００のデバイス情報に応じて第１の検出時間を決定するようにデバイスによって構成された第３の決定ユニットと、
この第３の決定ユニットによって決定された第１の検出時間に応じて、基地局によって送信された第１のページングメッセージを検出するように構成された第１の検出ユニットと
を含む。
【０２１５】
任意選択で、本発明の本実施形態では、検出モジュールは、
基地局によって送信された第２のページングメッセージをユーザ機器５００が検出する時間に応じて第２の検出時間を決定するように構成された第４の決定ユニットであって、この第２の検出時間、および第２のページングメッセージをユーザ機器５００が検出する時間が同じである、または所定の時間オフセットによって分離される、第４の決定ユニットと、
この第４の決定ユニットによって決定された第２の検出時間に応じて、基地局によって送信された第１のページングメッセージを検出するように構成された第２の検出ユニットと
を含む。
【０２１６】
第２のページングメッセージは、第２のユーザ機器がアイドルモードであるとき、第２のユーザ機器に基地局によって送信されたページングメッセージである。
【０２１７】
任意選択で、本発明の本実施形態では、検出モジュールは、
基地局によって送信された制御シグナリングに応じて、基地局が第１のページングメッセージを送信するページングチャネルを決定するように構成された第５の決定ユニットと、
この第５の決定ユニットによって決定されたページングチャネルに応じて、基地局によって送信された第１のページングメッセージを検出するように構成された第３の検出ユニットと
をさらに含む。
【０２１８】
任意選択で、本発明の本実施形態では、第５の決定ユニットは、
基地局によって送信された制御シグナリングを、発見信号ページングメッセージ無線ネットワーク一時識別子（Ｄ−Ｐ−ＲＮＴＩ）またはページングメッセージ無線ネットワーク一時識別子（Ｐ−ＲＮＴＩ）に応じて解析するように構成された解析サブユニットと、
この解析サブユニットによって解析された制御シグナリングに応じて、第１のページングメッセージのためのページングチャネルを決定するように構成された決定サブユニットと
を含む。
【０２１９】
任意選択で、本発明の本実施形態では、検出モジュールによって検出される第１のページングメッセージは、第２のユーザ機器のデバイス情報、または第２のユーザ機器を示すために使用される第４のインジケーション情報を含む。
【０２２０】
任意選択で、本発明の本実施形態では、送信モジュールは、第１のページングメッセージに含まれるデバイス情報が第２のユーザ機器のデバイス情報を含むまたは第４のインジケーション情報が第２のユーザ機器を示すと決定されたとき、第２のリソース上で発見信号を送信するようにさらに構成される。
【０２２１】
任意選択で、本発明の本実施形態では、検出モジュールによって検出される第２のリソース、および基地局によって決定され、発見信号を検出するために使用される第１のリソースが、時間リソースおよび／または周波数リソースの少なくとも同じパートを有する。
【０２２２】
本発明の本実施形態によるユーザ機器５００は、本発明の実施形態による発見信号伝送方法において第２のユーザ機器に対応しており、ユーザ機器５００内のモジュールの前述および他の動作および／または関数はそれぞれ、図１ないし図５における方法の対応する手順を実施するために使用されることが理解されるべきである。簡潔のために、詳細は、本明細書では再度説明されない。
【０２２３】
したがって、本発明の本実施形態で提供されるユーザ機器５００は、基地局によって送信された第１のページングメッセージに応じて、基地局によって割り当てられた第２のリソース上で発見信号を送信し、このことが、ユーザ機器５００が、システムによって予約されたリソース上で発見信号を定期的に送信するのを防止し、発見信号を検出する効率に影響を与えることなく、発見信号を送信するためにユーザ機器５００によって消費されるエネルギーを効果的に減少させ、ユーザエクスペリエンスを改善することができる。
【０２２４】
本発明の実施形態によるユーザ機器４００およびユーザ機器５００は、上記で図６および図７を参照して説明されている。以下は、図８を参照して、本発明の一実施形態による基地局６００を詳細に説明する。
【０２２５】
図８は、本発明の本実施形態による基地局６００の概略ブロック図を示す。図８に示されるように、基地局６００は、
発見信号を送信するために使用される第２のリソースを決定するように構成された決定モジュール６１０と、
第２のユーザ機器に第１のページングメッセージを送信するように構成された送信モジュール６２０であって、この第１のページングメッセージは、決定モジュール６１０によって決定された第２のリソース上で発見信号を送信するように第２のユーザ機器に指示するために使用される、送信モジュール６２０と
を含む。
【０２２６】
したがって、本発明の本実施形態で提供される基地局６００によれば、ユーザ機器は、トリガされて、一時的に割り当てられたリソース上で発見信号を送信し、このことが、ユーザ機器が、システムによって予約されたリソース上で発見信号を定期的に送信するのを防止し、発見信号を検出する効率に影響を与えることなく、発見信号を送信するためにユーザ機器によって消費されるエネルギーを効果的に減少させ、ユーザエクスペリエンスを改善することができる。
【０２２７】
任意選択で、本発明の本実施形態では、決定モジュール６１０は、発見信号を検出するために使用される第１のリソースを決定するようにさらに構成され、この第１のリソースおよび第２のリソースは、時間リソースまたは周波数リソースの少なくとも同じパートを有し、
送信モジュール６２０は、第１のユーザ機器に第１のメッセージを送信するようにさらに構成され、この第１のメッセージは、決定モジュール６１０によって決定された第１のリソース上で発見信号を検出するように第１のユーザ機器に指示するために使用され、第１のリソースおよび第２のリソースは、時間リソースおよび／または周波数リソースの少なくとも同じパートを有する。
【０２２８】
任意選択で、本発明の本実施形態では、基地局６００は、
第１のユーザ機器によって送信された要求メッセージを受信するように構成された受信モジュール６３０であって、この要求メッセージは、第２のユーザ機器をトリガして発見信号を送信させるように基地局６００に要求するために使用され、この要求メッセージは、第２のユーザ機器のデバイス情報、または第２のユーザ機器を示すために使用される第１のインジケーション情報を含む、受信モジュール６３０と、
をさらに含み、
送信モジュール６２０は、具体的には、要求メッセージに応じて第２のユーザ機器に第１のページングメッセージを送信するように構成され、
送信モジュール６２０は、さらに具体的には、要求メッセージに応じて第１のユーザ機器に第１のメッセージを送信するように構成される。
【０２２９】
任意選択で、本発明の本実施形態では、送信モジュール６２０によって送信された第１のメッセージは第１のリソースの時間情報および／または周波数情報を含む、または第１のメッセージは、第１のリソースの時間情報および／または周波数情報を示すために使用される第２のインジケーション情報を含む。
【０２３０】
任意選択で、本発明の本実施形態では、送信モジュール６２０は、第１のベアラリソース上で第１のユーザ機器に第１のメッセージを送信するようにさらに構成され、したがって、第１のユーザ機器は、第１のベアラリソースおよび第１のマッピング情報に応じて第１のリソースを決定し、この第１のマッピング情報は、第１のベアラリソースと第１のリソースとの間のあらかじめ設定されたマッピング関係である。
【０２３１】
任意選択で、本発明の本実施形態では、送信モジュール６２０によって送信された第１のページングメッセージは、第２のリソースの時間情報および／または周波数情報を含む、または第１のページングメッセージは、第２のリソースの時間情報および／または周波数情報を示すために使用される第３のインジケーション情報を含む。
【０２３２】
任意選択で、本発明の本実施形態では、送信モジュール６２０は、第２のベアラリソース上で第２のユーザ機器に第１のページングメッセージを送信するようにさらに構成され、したがって、第２のユーザ機器は、第２のベアラリソースおよび第２のマッピング情報に応じて、発見情報を送信するために使用される第２のリソースを決定すし、第２のマッピング情報は、第２のベアラリソースと第２のリソースとの間のあらかじめ設定されたマッピング関係である。
【０２３３】
任意選択で、本発明の本実施形態では、送信モジュール６２０は、
第２のユーザ機器のデバイス情報に応じて第１の送信時間を決定するように構成された第１の決定ユニットと、
この第１の決定ユニットによって決定された第１の送信時間に応じて第２のユーザ機器に第１のページングメッセージを送信するように構成された第１の送信ユニットと
をさらに含む。
【０２３４】
任意選択で、本発明の本実施形態では、送信モジュール６２０は、
基地局６００によって送信された第２のページングメッセージを第２のユーザ機器が検出する時間に応じて第２の検出時間を決定するように構成された第２の決定ユニットであって、この第２の検出時間、および第２のページングメッセージを第２のユーザ機器が検出する時間が同じである、または所定の時間オフセットによって分離される、第２の決定ユニットと、
この第２の決定ユニットによって決定された第２の送信時間に応じて第２のユーザ機器に第１のページングメッセージを送信するように構成された第２の送信ユニットと
をさらに含む。
【０２３５】
第２のページングメッセージは、第２のユーザ機器がアイドルモードであるとき、第２のユーザ機器に基地局によって送信されたページングメッセージである。
【０２３６】
任意選択で、本発明の本実施形態では、送信モジュール６２０は、
第１のページングメッセージのためのページングチャネルを示す制御シグナリング上でスクランブリングを、発見信号ページングメッセージ無線ネットワーク一時識別子（Ｄ−Ｐ−ＲＮＴＩ）またはページングメッセージ無線ネットワーク一時識別子（Ｐ−ＲＮＴＩ）に応じて実行するように構成されたスクランブリングユニットと、
第２のユーザ機器に制御シグナリングを送信し、ページングチャネル上で第２のユーザ機器に第１のページングメッセージを送信するように構成された第３の送信ユニットと
をさらに含む。
【０２３７】
任意選択で、本発明の本実施形態では、送信モジュール６２０によって送信された第１のページングメッセージは、第２のユーザ機器のデバイス情報、または第２のユーザ機器を示すために使用される第４のインジケーション情報を含み、したがって、第２のユーザ機器は、デバイス情報または第４のインジケーション情報に応じて、第２のリソース上で発見信号を送信するかどうかを決定する。
【０２３８】
任意選択で、本発明の本実施形態では、決定モジュール６１０によって決定される第１のリソースの時間リソースは、決定モジュール６１０によって決定される第２のリソースの時間リソースを含み、第１のリソースの周波数リソースは、第２のリソースの周波数リソースを含む。
【０２３９】
本発明の本実施形態で提供される基地局６００は、本発明の方法実施形態における基地局に対応しており、基地局６００内のモジュールの前述および他の動作および／または関数はそれぞれ、図１ないし図５における方法の対応する手順を実施するために使用されることが理解されるべきである。簡潔のために、詳細は、本明細書では再度説明されない。
【０２４０】
図９に示されるように、本発明の実施形態はユーザ機器７００をさらに提供し、ユーザ機器７００は、プロセッサ７１０と、メモリ７２０と、バスシステム７３０と、受信機７４０と、送信機７５０とを含む。プロセッサ７１０、メモリ７２０、受信機７４０、および送信機７５０は、バスシステム７３０を使用することによって互いに接続され、メモリ７２０は、命令を記憶するように構成され、プロセッサ７１０は、メモリ７２０内に記憶された命令を実行して、信号を受信するように受信機７４０を制御し、信号を送信するように送信機７５０を制御するように構成される。受信機７４０は、基地局によって送信された第１のメッセージを受信するように構成され、この第１のメッセージは、第１のリソース上の発見信号を検出するように第１のユーザ機器に指示する。プロセッサ７１０は、受信機７４０によって受信された第１のメッセージに応じて第１のリソースを決定し、第１のリソース上で発見信号を検出するように構成される。受信機７４０は、さらに具体的には、第１のリソース上で発見信号を受信するように構成される。
【０２４１】
したがって、本発明の本実施形態で提供されるユーザ機器７００は、基地局によって送信された第１のメッセージに応じて、基地局によって割り当てられた第１のリソース上で発見信号を検出し、これは、システムによって予約されたリソース上で発見信号検出を定期的に実行することを回避し、発見信号検出中にユーザ機器７００によって消費されるエネルギーを効果的に減少させ、ユーザエクスペリエンスを効果的に改善することができる。
【０２４２】
本発明の本実施形態では、プロセッサ７１０は中央処理装置（Ｃｅｎｔｒａｌ  Ｐｒｏｃｅｓｓｉｎｇ  Ｕｎｉｔ、略して「ＣＰＵ」）であり、またはプロセッサ７１０は、別の汎用プロセッサ、デジタル信号プロセッサ（ＤＳＰ）、特定用途向け集積回路（ＡＳＩＣ）、フィールドプログラマブルゲートアレイ（ＦＰＧＡ）、もしくは別のプログラマブル論理デバイス、ディスクリートゲートもしくはトランジスタ論理デバイス、ディスクリートハードウェア構成要素などであることが理解されるべきである。汎用プロセッサはマイクロプロセッサであり、またはプロセッサは任意の従来のプロセッサなどである。
【０２４３】
メモリ７２０は、読み出し専用メモリとランダムアクセスメモリとを含み、命令およびデータをプロセッサ７１０に提供する。メモリ７２０の一部は、不揮発性ランダムアクセスメモリをさらに含む。たとえば、メモリ７２０は、デバイス種類についての情報をさらに記憶する。
【０２４４】
データバスに加えて、バスシステム７３０は、電力バス、制御バス、ステータス信号バスなどをさらに含む。しかしながら、説明の明快のために、さまざまなバスは、図ではバスシステム７３０とマークされる。
【０２４５】
実装プロセスでは、前述の方法におけるステップは、プロセッサ７１０内のハードウェアの集積論理回路またはソフトウェアの形式の命令によって完了される。本発明の実施形態に関して開示される方法のステップは、ハードウェアプロセッサによって直接的に実行および完了され、またはプロセッサ内のハードウェアモジュールとソフトウェアモジュールの組み合わせを使用することによって実行および完了される。ソフトウェアモジュールは、ランダムアクセスメモリ、フラッシュメモリ、読み出し専用メモリ、プログラマブル読み出し専用メモリ、電気的消去可能プログラマブルメモリ、またはレジスタなどの、当分野において十分に発達した記憶媒体内に置かれる。記憶媒体は、メモリ７２０内に置かれる。プロセッサ７１０は、メモリ７２０から情報を読み取り、プロセッサ７１０のハードウェアと組み合わせて前述の方法のステップを完了する。繰返しを回避するために、詳細は、本明細書では再度説明されない。
【０２４６】
任意選択で、一実施形態では、送信機７５０は、基地局に要求メッセージを送信するように構成され、この要求メッセージは、第２のユーザ機器をトリガして発見信号を送信させるように基地局に要求するために使用され、この要求メッセージは、第２のユーザ機器のデバイス情報、または第２のユーザ機器を示すために使用される第１のインジケーション情報を含む。
【０２４７】
任意選択で、一実施形態では、プロセッサ７１０は、第１のメッセージに含まれる第１のリソースの時間情報および／または周波数情報に応じて第１のリソースを決定するようにさらに構成される。
【０２４８】
任意選択で、一実施形態では、プロセッサ７１０は、第１のリソースの時間情報および／または周波数情報を示すために使用され、第１のメッセージに含まれる第２のインジケーション情報に応じて、第１のリソースを決定するようにさらに構成される。
【０２４９】
任意選択で、一実施形態では、プロセッサ７１０は、第１のメッセージを運ぶ第１のベアラリソースを決定するようにさらに構成され、第１のベアラリソースおよび第１のマッピング情報に応じて第１のリソースを決定するようにさらに構成され、この第１のマッピング情報は、第１のベアラリソースと第１のリソースとの間のあらかじめ設定されたマッピング関係である。
【０２５０】
任意選択で、一実施形態では、受信機７４０によって受信される第１のメッセージに含まれる第１のリソース、および基地局によって決定され、発見信号を送信するために使用される第２のリソースは、時間リソースおよび／または周波数リソースの少なくとも同じパートを有する。
【０２５１】
本発明の本実施形態によるユーザ機器７００は、本発明の実施形態による発見信号伝送方法における第１のユーザ機器に対応しており、または本発明の実施形態におけるユーザ機器４００に対応しており、ユーザ機器７００のモジュールの前述および他の動作および／または関数はそれぞれ、図１ないし図５における方法の対応する手順を実施するために使用されることが理解されるべきである。簡潔のために、詳細は、本明細書では再度説明されない。
【０２５２】
図１０に示されるように、本発明の実施形態はユーザ機器８００をさらに提供し、ユーザ機器８００は、プロセッサ８１０と、メモリ８２０と、バスシステム８３０と、受信機８４０と、送信機８５０とを含む。プロセッサ８１０、メモリ８２０、受信機８４０、および送信機８５０は、バスシステム８３０を使用することによって互いに接続され、メモリ８２０は、命令を記憶するように構成され、プロセッサ８１０は、メモリ８２０内に記憶された命令を実行して、信号を受信するように受信機８４０を制御し、信号を送信するように送信機８５０を制御するように構成される。プロセッサ８１０は、基地局によって送信された第１のページングメッセージを検出するように構成され、この第１のページングメッセージは、第２のリソース上で発見信号を送信するように第２のユーザ機器に示し、プロセッサ８１０は、検出された第１のページングメッセージに応じて第２のリソースを決定するようにさらに構成される。送信機８５０は、プロセッサ８１０によって決定された第２のリソース上で発見信号を送信するように構成される。
【０２５３】
したがって、本発明の本実施形態で提供されるユーザ機器８００は、基地局によって送信された第１のページングメッセージに応じて、基地局によって割り当てられた第２のリソース上で発見信号を送信し、このことが、ユーザ機器８００が、システムによって予約されたリソース上で発見信号を定期的に送信するのを防止し、発見信号を検出する効率に影響を与えることなく、発見信号を送信するためにユーザ機器８００によって消費されるエネルギーを効果的に減少させ、ユーザエクスペリエンスを改善することができる。
【０２５４】
本発明の本実施形態では、プロセッサ８１０は中央処理装置（Ｃｅｎｔｒａｌ  Ｐｒｏｃｅｓｓｉｎｇ  Ｕｎｉｔ、略して「ＣＰＵ」）であり、またはプロセッサ８１０は、別の汎用プロセッサ、デジタル信号プロセッサ（ＤＳＰ）、特定用途向け集積回路（ＡＳＩＣ）、フィールドプログラマブルゲートアレイ（ＦＰＧＡ）、もしくは別のプログラマブル論理デバイス、ディスクリートゲートもしくはトランジスタ論理デバイス、ディスクリートハードウェア構成要素などであることが理解されるべきである。汎用プロセッサはマイクロプロセッサであり、またはプロセッサは任意の従来のプロセッサなどである。
【０２５５】
メモリ８２０は、読み出し専用メモリとランダムアクセスメモリとを含み、命令およびデータをプロセッサ８１０に提供する。メモリ８２０の一部は、不揮発性ランダムアクセスメモリをさらに含む。たとえば、メモリ８２０は、デバイス種類についての情報をさらに記憶する。
【０２５６】
データバスに加えて、バスシステム８３０は、電力バス、制御バス、ステータス信号バスなどをさらに含む。しかしながら、説明の明快のために、さまざまなバスは、図ではバスシステム８３０とマークされる。
【０２５７】
実装プロセスでは、前述の方法におけるステップは、プロセッサ８１０内のハードウェアの集積論理回路またはソフトウェアの形式の命令によって完了される。本発明の実施形態に関して開示される方法のステップは、ハードウェアプロセッサによって直接的に実行および完了され、またはプロセッサ内のハードウェアモジュールとソフトウェアモジュールの組み合わせを使用することによって実行および完了される。ソフトウェアモジュールは、ランダムアクセスメモリ、フラッシュメモリ、読み出し専用メモリ、プログラマブル読み出し専用メモリ、電気的消去可能プログラマブルメモリ、またはレジスタなどの、当分野内の十分に発達した（ｍａｔｕｒｅ）記憶媒体内に置かれる。記憶媒体は、メモリ８２０内に置かれる。プロセッサ８１０は、メモリ８２０から情報を読み取り、プロセッサ８１０のハードウェアと組み合わせて前述の方法のステップを完了する。繰返しを回避するために、詳細は、本明細書では再度説明されない。
【０２５８】
任意選択で、一実施形態では、プロセッサ８１０は、さらに具体的には、第１のユーザ機器によって送信された要求メッセージに応じて基地局によって送信された第１のページングメッセージを検出するように構成される。受信機８４０は、具体的には、第１のページングメッセージを受信するように構成される。
【０２５９】
任意選択で、一実施形態では、プロセッサ８１０は、さらに具体的には、検出された第１のページングメッセージに含まれる第２のリソースの時間情報および／または周波数情報に応じて第２のリソースを決定するように構成される。
【０２６０】
任意選択で、一実施形態では、プロセッサ８１０は、さらに具体的には、第２のリソースの時間情報および／または周波数情報を示すために使用され、検出された第１のページングメッセージに含まれる第３のインジケーション情報に応じて、第２のリソースを決定するように構成される。
【０２６１】
任意選択で、一実施形態では、プロセッサ８１０は、さらに具体的には、検出された第１のページングメッセージを運ぶ第２のベアラリソースを決定するように構成され、プロセッサ８１０は、第２のベアラリソースおよび第２のマッピング情報に応じて第２のリソースを決定するようにさらに構成され、この第２のマッピング情報は、第２のベアラリソースと第２のリソースとの間のあらかじめ設定されたマッピング関係である。
【０２６２】
任意選択で、一実施形態では、プロセッサ８１０は、さらに具体的には、ユーザ機器８００のデバイス情報に応じて第１の検出時間を決定するように構成され、第１の検出時間に応じて、基地局によって送信された第１のページングメッセージを検出するようにさらに構成される。受信機８４０は、具体的には、プロセッサ８１０によって検出された第１のページングメッセージを受信するように構成される。
【０２６３】
任意選択で、一実施形態では、プロセッサ８１０は、さらに具体的には、基地局によって送信された第２のページングメッセージをユーザ機器８００が検出する時間に応じて第２の検出時間を決定するように構成され、この第２の検出時間、および第２のページングメッセージをユーザ機器８００が検出する時間が同じである、または所定の時間オフセットによって分離され、第２の検出時間に応じて、基地局によって送信された第１のページングメッセージを検出するようにさらに構成される。受信機８４０は、具体的には、プロセッサによって検出された第１のページングメッセージを受信するように構成される。
【０２６４】
第２のページングメッセージは、第２のユーザ機器がアイドルモードであるとき、第２のユーザ機器に基地局によって送信されたページングメッセージである。
【０２６５】
任意選択で、一実施形態では、プロセッサ８１０は、さらに具体的には、基地局によって送信された制御シグナリングに応じて、基地局が第１のページングメッセージを送信するページングチャネルを決定するように構成される。プロセッサ８１０は、ページングチャネルに応じて、基地局によって送信された第１のページングメッセージを検出するようにさらに構成される。受信機８４０は、具体的には、プロセッサ８１０によって検出された第１のページングメッセージを受信するように構成される。
【０２６６】
任意選択で、一実施形態では、プロセッサ８１０は、さらに具体的には、基地局によって送信された制御シグナリングを、発見信号ページングメッセージ無線ネットワーク一時識別子（Ｄ−Ｐ−ＲＮＴＩ）またはページングメッセージ無線ネットワーク一時識別子（Ｐ−ＲＮＴＩ）に応じて解析するように構成される。プロセッサ８１０は、解析された制御シグナリングに応じて第１のページングメッセージのためのページングチャネルを決定するようにさらに構成される。
【０２６７】
任意選択で、一実施形態では、プロセッサ８１０によって検出される第１のページングメッセージは、第２のユーザ機器のデバイス情報、または第２のユーザ機器を示すために使用される第４のインジケーション情報を含む。
【０２６８】
任意選択で、一実施形態では、プロセッサ８１０は、第１のページングメッセージに含まれるデバイス情報が、第２のユーザ機器のデバイス情報、または第２のユーザ機器を示す第４のインジケーション情報を含むと決定されたとき、第２のリソース上で発見信号を送信するように送信機８５０に示すようにさらに構成される。
【０２６９】
任意選択で、一実施形態では、プロセッサ８１０によって検出される第２のリソースと、基地局によって決定され、発見信号を検出するために使用される第１のリソースが、時間リソースおよび／または周波数リソースの少なくとも同じパートを有する。
【０２７０】
本発明の本実施形態によるユーザ機器８００は、本発明の実施形態による発見信号伝送方法における第２のユーザ機器に対応しており、または本発明の実施形態におけるユーザ機器５００に対応しており、ユーザ機器８００のモジュールの前述および他の動作および／または関数はそれぞれ、図１ないし図５における方法の対応する手順を実施するために使用されることが理解されるべきである。簡潔のために、詳細は、本明細書では再度説明されない。
【０２７１】
図１１に示されるように、本発明の実施形態は基地局９００をさらに提供し、基地局９００は、プロセッサ９１０と、メモリ９２０と、バスシステム９３０と、受信機９４０と、送信機９５０とを含む。プロセッサ９１０、メモリ９２０、受信機９４０、および送信機９５０は、バスシステム９３０を使用することによって互いに接続され、メモリ９２０は、命令を記憶するように構成され、プロセッサ９１０は、メモリ９２０内に記憶された命令を実行して、信号を受信するように受信機９４０を制御し、信号を送信するように送信機９５０を制御するように構成される。プロセッサ９１０は、発見信号を送信するために使用される第２のリソースを決定するように構成される。送信機９５０は、第１のページングメッセージを第２のユーザ機器に送信するように構成され、この第１のページングメッセージは、第２のリソース上で発見信号を送信するように第２のユーザ機器に指示するために使用される。
【０２７２】
したがって、本発明の本実施形態で提供される基地局９００によれば、ユーザ機器は、トリガされて、一時的に割り当てられたリソース上で発見信号を送信し、このことが、ユーザ機器が、システムによって予約されたリソース上で発見信号を定期的に送信するのを防止し、発見信号を検出する効率に影響を与えることなく、発見信号を送信するためにユーザ機器によって消費されるエネルギーを効果的に減少させ、ユーザエクスペリエンスを改善することができる。
【０２７３】
本発明の本実施形態では、プロセッサ９１０は中央処理装置（Ｃｅｎｔｒａｌ  Ｐｒｏｃｅｓｓｉｎｇ  Ｕｎｉｔ、略して「ＣＰＵ」）であり、またはプロセッサ９１０は、別の汎用プロセッサ、デジタル信号プロセッサ（ＤＳＰ）、特定用途向け集積回路（ＡＳＩＣ）、フィールドプログラマブルゲートアレイ（ＦＰＧＡ）、もしくは別のプログラマブル論理デバイス、ディスクリートゲートもしくはトランジスタ論理デバイス、ディスクリートハードウェア構成要素などであることが理解されるべきである。汎用プロセッサはマイクロプロセッサであり、またはプロセッサは任意の従来のプロセッサなどである。
【０２７４】
メモリ９２０は、読み出し専用メモリとランダムアクセスメモリとを含み、命令およびデータをプロセッサ９１０に提供する。メモリ９２０の一部は、不揮発性ランダムアクセスメモリをさらに含む。たとえば、メモリ９２０は、デバイス種類についての情報をさらに記憶する。
【０２７５】
データバスに加えて、バスシステム９３０は、電力バス、制御バス、ステータス信号バスなどをさらに含む。しかしながら、説明の明快のために、さまざまなバスは、図ではバスシステム９３０とマークされる。
【０２７６】
実装プロセスでは、前述の方法におけるステップは、プロセッサ９１０内のハードウェアの集積論理回路またはソフトウェアの形式の命令によって完了される。本発明の実施形態に関して開示される方法のステップは、ハードウェアプロセッサによって直接的に実行および完了され、またはプロセッサ内のハードウェアモジュールとソフトウェアモジュールの組み合わせを使用することによって実行および完了される。ソフトウェアモジュールは、ランダムアクセスメモリ、フラッシュメモリ、読み出し専用メモリ、プログラマブル読み出し専用メモリ、電気的消去可能プログラマブルメモリ、またはレジスタなどの、当分野内の十分に発達した記憶媒体内に置かれる。記憶媒体は、メモリ９２０内に置かれる。プロセッサ９１０は、メモリ９２０から情報を読み取り、プロセッサ９１０のハードウェアと組み合わせて前述の方法のステップを完了する。繰返しを回避するために、詳細は、本明細書では再度説明されない。
【０２７７】
任意選択で、一実施形態では、プロセッサ９１０は、発見信号を検出するために使用される第１のリソースを決定するようにさらに構成され、この第１のリソースおよび第２のリソースは、時間リソースまたは周波数リソースの少なくとも同じパートを有する。送信機９５０は、第１のメッセージを第１のユーザ機器に送信するようにさらに構成され、この第１のメッセージは、第１のリソース上で発見信号を検出するように第１のユーザ機器に指示するために使用される。
【０２７８】
任意選択で、一実施形態では、受信機９４０は、第１のユーザ機器によって送信された要求メッセージを受信するように構成され、この要求メッセージは、第２のユーザ機器をトリガして発見信号を送信させるように基地局９００に要求するために使用され、この要求メッセージは、第２のユーザ機器のデバイス情報、または第２のユーザ機器を示すために使用される第１のインジケーション情報を含む。送信機９５０は、具体的には、要求メッセージに応じて第２のユーザ機器に第１のページングメッセージを送信するように構成され、送信機９５０は、要求メッセージに応じて第１のユーザ機器に第１のメッセージを送信するようにさらに構成される。
【０２７９】
任意選択で、一実施形態では、送信機９５０によって送信された第１のメッセージは第１のリソースの時間情報および／または周波数情報を含む、または第１のメッセージは、第１のリソースの時間情報および／または周波数情報を示すために使用される第２のインジケーション情報を含む。
【０２８０】
任意選択で、一実施形態では、送信機９５０は、第１のベアラリソース上で第１のメッセージを第１のユーザ機器に送信するようにさらに構成され、したがって、第１のユーザ機器は、第１のベアラリソースおよび第１のマッピング情報に応じて第１のリソースを決定し、この第１のマッピング情報は、第１のベアラリソースと第１のリソースとの間のあらかじめ設定されたマッピング関係である。
【０２８１】
任意選択で、一実施形態では、送信機９５０によって送信された第１のページングメッセージは、第２のリソースの時間情報および／または周波数情報を含む、または第１のページングメッセージは、第２のリソースの時間情報および／または周波数情報を示すために使用される第３のインジケーション情報を含む。
【０２８２】
任意選択で、一実施形態では、送信機９５０は、第２のベアラリソース上で第２のユーザ機器に第１のページングメッセージを送信するようにさらに構成され、したがって、第２のユーザ機器は、第２のベアラリソースおよび第２のマッピング情報に応じて、発見情報を送信するために使用される第２のリソースを決定し、第２のマッピング情報は、第２のベアラリソースと第２のリソースとの間のあらかじめ設定されたマッピング関係である。
【０２８３】
任意選択で、一実施形態では、プロセッサ９１０は、具体的には、第２のユーザ機器のデバイス情報に応じて第１の送信時間を決定するように構成される。送信機９５０は、具体的には、第１の送信時間に応じて第２のユーザ機器に第１のページングメッセージを送信するように構成される。
【０２８４】
任意選択で、一実施形態では、プロセッサ９１０は、さらに具体的には、基地局９００によって送信された第２のページングメッセージを第２のユーザ機器が検出する時間に応じて第２の検出時間を決定するように構成され、この第２の検出時間、および第２のページングメッセージを第２のユーザ機器が検出する時間は同じである、または所定の時間オフセットによって分離される。送信機９５０は、具体的には、第２の送信時間に応じて第２のユーザ機器に第１のページングメッセージを送信するように構成される。
【０２８５】
第２のページングメッセージは、第２のユーザ機器がアイドルモードであるとき、第２のユーザ機器に基地局によって送信されたページングメッセージである。
【０２８６】
任意選択で、一実施形態では、プロセッサ９１０は、さらに具体的には、第１のページングメッセージのためのページングチャネルを示す制御シグナリング上でスクランブリングを、発見信号ページングメッセージ無線ネットワーク一時識別子（Ｄ−Ｐ−ＲＮＴＩ）またはページングメッセージ無線ネットワーク一時識別子（Ｐ−ＲＮＴＩ）に応じて実行するように構成される。送信機９５０は、具体的には、第２のユーザ機器に制御シグナリングを送信し、ページングチャネル上で第２のユーザ機器に第１のページングメッセージを送信するように構成される。
【０２８７】
任意選択で、一実施形態では、送信機９５０によって送信された第１のページングメッセージは、第２のユーザ機器のデバイス情報、または第２のユーザ機器を示すために使用される第４のインジケーション情報を含み、したがって、第２のユーザ機器は、デバイス情報または第４のインジケーション情報に応じて、第２のリソース上で発見信号を送信するかどうかを決定する。
【０２８８】
任意選択で、一実施形態では、プロセッサ９１０によって決定される第１のリソースの時間リソースが第２のリソースの時間リソースを含み、第１のリソースの周波数リソースが第２のリソースの周波数リソースを含む。
【０２８９】
本発明の本実施形態による基地局９００は、本発明の実施形態による発見信号伝送方法における基地局に対応しており、または本発明の実施形態における基地局６００に対応しており、基地局９００のモジュールの前述および他の動作および／または関数はそれぞれ、図１ないし図５における方法の対応する手順を実施するために使用されることが理解されるべきである。簡潔のために、詳細は、本明細書では再度説明されない。
【０２９０】
本明細書における「および／または」という用語は、関連付けられた物体を説明するための関連付け関係のみを説明し、３つの関係が存在することを表す。たとえば、Ａおよび／またはＢは、以下の３つの場合すなわち、Ａのみが存在する、ＡとＢの両方が存在する、およびＢのみが存在する、を表す。さらに、本明細書中の記号「／」は、一般に、関連付けられた物体間の「または」関係を示す。
【０２９１】
前述のプロセスのシーケンス番号は、本発明のさまざまな実施形態における実行シーケンスを意味しないことが理解されるべきである。プロセスの実行シーケンスは、プロセスの関数および内部論理に応じて決定されるべきであり、本発明の実施形態の実装プロセス上のいかなる制限とも解釈されるべきではない。
【０２９２】
当業者は、本明細書に開示されている実施形態で説明される例と組み合わせて、ユニットおよびアルゴリズムステップは、電子ハードウェアまたはコンピュータソフトウェアと電子ハードウェアの組み合わせによって実施されることを認識する。関数がハードウェアによって実行されるかソフトウェアによって実行されるかは、特定の用途および技術的解決策の設計制約条件に依存する。当業者は、異なる方法を使用して、各特定の用途のために説明された関数を実施するが、実装形態が本発明の範囲を超えるとみなされるべきではない。
【０２９３】
便利で簡潔な説明の目的で、前述のシステム、装置、およびユニットの詳細な作業プロセスのために、前述の方法実施形態において対応するプロセスに対する言及がなされ、詳細は本明細書では再度説明されないことは、当業者によって明確に理解される。
【０２９４】
本出願で提供されるいくつかの実施形態では、開示されるシステム、装置、および方法は他の手法で実施されることが理解されるべきである。たとえば、説明される装置実施形態は、例示にすぎない。たとえば、ユニット分割は論理関数分割にすぎず、実際の実装形態では、他の分割である。たとえば、複数のユニットまたは構成要素は、別のシステムに組み合わされる、もしくはこれに統合され、またはいくつかの特徴は無視される、もしくは実行されない。さらに、表示されるまたは論じられる相互結合または直接的な結合もしくは通信接続は、いくつかのインタフェースを通じて実施される。装置またはユニット間の間接的な結合または通信接続は、電子形式、機械形式、または他の形式で実施される。
【０２９５】
別個のパートと説明されるユニットは、物理的に別個であってもなくてもよく、ユニットと表示されるパートは物理ユニットであってもなくてもよく、１つの位置に置かれ、または複数のネットワークユニット上で分散される。ユニットのうちのいくつかまたはすべては、実施形態の解決策の目的を達成するために実際の必要性に応じて選択される。
【０２９６】
さらに、本発明の実施形態における機能ユニットは１つの処理ユニットに統合され、または、ユニットの各々は物理的に単独で存在し、または２つ以上のユニットが１つのユニットに統合される。
【０２９７】
関数がソフトウェア機能ユニットの形式で実施され、独立した製品として販売または使用されるとき、関数は、コンピュータ可読記憶媒体内に記憶される。そのような理解に基づいて、本発明の技術的解決策は本質的に、または従来技術に寄与するパート、または技術的解決策のうちのいくつかは、ソフトウェア製品の形式で実施される。ソフトウェア製品は記憶媒体に記憶され、本発明の実施形態で説明される方法のステップのうちのすべてまたはいくつかを実行するようにコンピュータデバイス（パーソナルコンピュータ、サーバ、またはネットワークデバイスである）に示すためのいくつかの命令を含む。前述の記憶媒体は、ＵＳＢフラッシュドライブ、着脱可能なハードディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、または光ディスクなどのプログラムコードを記憶することができる任意の媒体を含む。
【０２９８】
前述の記述は、本発明の特定の実装手法にすぎないが、本発明の保護範囲を制限することが意図されるものではない。本発明に開示される技術的範囲内で当業者によって容易に考え出されるいかなる変形または置換も本発明の保護範囲に含まれるものとする。したがって、本発明の保護範囲は、特許請求の範囲の保護範囲に従うものとする。
【図１】
0006262858.tif 000002
【図２】
0006262858.tif 000003
【図３】
0006262858.tif 000004
【図４】
0006262858.tif 000005
【図５】
0006262858.tif 000006
【図６】
0006262858.tif 000007
【図７】
0006262858.tif 000008
【図８】
0006262858.tif 000009
【図９】
0006262858.tif 000010
【図１０】
0006262858.tif 000011
【図１１】
0006262858.tif 000012